(57)【要約】  第１の例示的な実施形態は、無線通信ネットワークにおける無線デバイス（１０）の通信を扱うための無線デバイスによって実施される方法であって、無線通信ネットワークが、第１の無線ネットワークノード（１２）と第２の無線ネットワークノード（１３）とを備え、第１の無線ネットワークノード（１２）が無線デバイス（１０）をサーブする、方法を提供する。無線デバイスは、１つまたは複数のチャネル状態情報参照信号（ＣＳＩ−ＲＳ）と１つまたは複数のランダムアクセスチャネル（ＲＡＣＨ）設定との間のマッピングを指示する指示を受信する。無線デバイスは、第２の無線ネットワークノード（１３）から１つまたは複数のＣＳＩ−ＲＳを受信し、１つまたは複数の受信されたＣＳＩ−ＲＳのうちのＣＳＩ−ＲＳを選択する。無線デバイスは、さらに、選択されたＣＳＩ−ＲＳにマッピングされたＲＡＣＨ設定の少なくとも一部を使用して第２の無線ネットワークノード（１３）に対するランダムアクセスプロシージャを始動する。【選択図】図２
2020511879.tif 000002
【特許請求の範囲】
【請求項１】
無線通信ネットワークにおける無線デバイス（１０）の通信を扱うための前記無線デバイスによって実施される方法であって、前記無線通信ネットワークが、第１の無線ネットワークノード（１２）と第２の無線ネットワークノード（１３）とを備え、前記第１の無線ネットワークノード（１２）が前記無線デバイス（１０）をサーブし、前記方法が、
−  １つまたは複数のチャネル状態情報参照信号（ＣＳＩ−ＲＳ）と１つまたは複数のランダムアクセスチャネル（ＲＡＣＨ）設定との間のマッピングを指示する指示を受信すること（８０２）と、
−  前記第２の無線ネットワークノード（１３）から１つまたは複数のＣＳＩ−ＲＳを受信すること（８０３）と、
−  前記１つまたは複数の受信されたＣＳＩ−ＲＳのうちのＣＳＩ−ＲＳを選択すること（８０４）と、
−  前記選択されたＣＳＩ−ＲＳにマッピングされた前記ＲＡＣＨ設定の少なくとも一部を使用して前記第２の無線ネットワークノード（１３）に対するランダムアクセスプロシージャを始動すること（８０５）と
を含む、方法。
【請求項２】
前記マッピングが複数のＣＳＩ−ＲＳと複数のＲＡＣＨ設定との間のものである、請求項１に記載の方法。
【請求項３】
多くとも１つのＲＡＣＨ設定がＣＳＩ−ＲＳにマッピングされる、請求項１または２に記載の方法。
【請求項４】
−  同期信号ブロックの一部として前記第２の無線ネットワークノードによって送信された１次同期信号および２次同期信号を受信することによってダウンリンク同期を獲得すること（８０１）
をさらに含む、請求項１から３のいずれか一項に記載の方法。
【請求項５】
ＲＡＣＨ設定が、ＲＡＣＨプリアンブルまたは特定のプリアンブルの送信のために使用されるべき時間周波数リソースを備える、請求項１から４のいずれか一項に記載の方法。
【請求項６】
前記ＲＡＣＨ設定が、ランダムアクセス応答（ＲＡＲ）の受信のための時間ウィンドウ、または前記ＲＡＲに関連する物理チャネルの設定を備える、請求項１から５のいずれか一項に記載の方法。
【請求項７】
前記１つまたは複数の受信されたＣＳＩ−ＲＳのうちの前記ＣＳＩ−ＲＳを選択すること（８０４）が、前記受信されたＣＳＩ−ＲＳに関する測定に基づく、請求項１から６のいずれか一項に記載の方法。
【請求項８】
最良の品質または強度に関連する前記ＣＳＩ−ＲＳが選択される、請求項７に記載の方法。
【請求項９】
前記指示が無線リソース制御（ＲＲＣ）メッセージ中で受信される、請求項１から８のいずれか一項に記載の方法。
【請求項１０】
無線通信ネットワークにおける無線デバイス（１０）の通信を扱うための第２の無線ネットワークノード（１３）によって実施される方法であって、前記無線通信ネットワークが、前記第２の無線ネットワークノード（１３）と第１の無線ネットワークノード（１２）とを備え、前記第１の無線ネットワークノードが前記無線デバイス（１０）をサーブし、前記第２の無線ネットワークノードに、１つまたは複数のチャネル状態情報参照信号（ＣＳＩ−ＲＳ）と１つまたは複数のランダムアクセスチャネル（ＲＡＣＨ）設定との間のマッピングが設定され、前記方法は、
−  それぞれのビームに関連する１つまたは複数のＣＳＩ−ＲＳを送信すること（８１１）と、
−  ＲＡＣＨ設定の少なくとも一部を使用して、前記無線デバイス（１０）からの始動されるランダムアクセスプロシージャを検出すること（８１２）であって、前記ＲＡＣＨ設定が、送信された前記１つまたは複数のＣＳＩ−ＲＳのうちのＣＳＩ−ＲＳにマッピングされる、始動されるランダムアクセスプロシージャを検出すること（８１２）と、
−  前記無線デバイスへのまたは前記無線デバイスからのデータ送信を実施するために前記ＣＳＩ−ＲＳに関連する前記ビームを使用すること（８１３）と
を含む、方法。
【請求項１１】
前記マッピングが複数のＣＳＩ−ＲＳと複数のＲＡＣＨ設定との間のものである、請求項１０に記載の方法。
【請求項１２】
多くとも１つのＲＡＣＨ設定がＣＳＩ−ＲＳにマッピングされる、請求項１０または１１に記載の方法。
【請求項１３】
それぞれのビームに関連する前記送信された１つまたは複数のＣＳＩ−ＲＳに加えて、前記第２の無線ネットワークノードが、同期信号ブロックの一部として１次同期信号および２次同期信号をさらに送信する、請求項１０から１２のいずれか一項に記載の方法。
【請求項１４】
ＲＡＣＨ設定が、ＲＡＣＨプリアンブルまたは特定のプリアンブルの送信のために使用されるべき時間周波数リソースを備える、請求項１０から１３のいずれか一項に記載の方法。
【請求項１５】
前記ＲＡＣＨ設定が、ランダムアクセス応答（ＲＡＲ）の受信のための時間ウィンドウ、および／または前記ＲＡＲに関連する物理チャネルの設定を備える、請求項１０から１４のいずれか一項に記載の方法。
【請求項１６】
前記１つまたは複数のＣＳＩ−ＲＳがハンドオーバ時にアクティブにされる、請求項１０から１５のいずれか一項に記載の方法。
【請求項１７】
無線通信ネットワークにおける無線デバイス（１０）の通信を扱うための第１の無線ネットワークノード（１２）によって実施される方法であって、前記第１の無線ネットワークノード（１２）が前記無線デバイス（１０）をサーブし、前記無線通信ネットワークが第２の無線ネットワークノード（１３）をさらに備え、前記方法が、
−  前記第２の無線ネットワークノード（１３）の１つまたは複数のチャネル状態情報参照信号（ＣＳＩ−ＲＳ）と１つまたは複数のランダムアクセスチャネル（ＲＡＣＨ）設定との間のマッピングを指示する指示を、前記無線デバイス（１０）に送信すること（８２２）
を含む、方法。
【請求項１８】
前記マッピングが複数のＣＳＩ−ＲＳと複数のＲＡＣＨ設定との間のものである、請求項１７に記載の方法。
【請求項１９】
多くとも１つのＲＡＣＨ設定がＣＳＩ−ＲＳにマッピングされる、請求項１７または１８に記載の方法。
【請求項２０】
ＲＡＣＨ設定が、ＲＡＣＨプリアンブルまたは特定のプリアンブルの送信のために使用されるべき時間周波数リソースを備える、請求項１７から１９のいずれか一項に記載の方法。
【請求項２１】
前記ＲＡＣＨ設定が、ランダムアクセス応答（ＲＡＲ）の受信のための時間ウィンドウ、または前記ＲＡＲに関連する物理チャネルの設定を備える、請求項１７から２０のいずれか一項に記載の方法。
【請求項２２】
前記指示が無線リソース制御（ＲＲＣ）メッセージ中で送信される、請求項１７から２１のいずれか一項に記載の方法。
【請求項２３】
−  １つまたは複数のＣＳＩ−ＲＳと１つまたは複数のＲＡＣＨ設定との間の前記マッピングを取得すること（８２１）
をさらに含む、請求項１７から２２のいずれか一項に記載の方法。
【請求項２４】
無線通信ネットワーク（１）における無線デバイス（１０）の通信を扱うための無線デバイス（１０）であって、前記無線通信ネットワーク（１）が、前記無線デバイス（１０）をサーブするように設定された第１の無線ネットワークノード（１２）と、第２の無線ネットワークノード（１３）とを備え、前記無線デバイス（１０）が、
１つまたは複数のチャネル状態情報参照信号（ＣＳＩ−ＲＳ）と１つまたは複数のランダムアクセスチャネル（ＲＡＣＨ）設定との間のマッピングを指示する指示を受信することと、
前記第２の無線ネットワークノード（１３）から１つまたは複数のＣＳＩ−ＲＳを受信することと、
前記１つまたは複数の受信されたＣＳＩ−ＲＳのうちのＣＳＩ−ＲＳを選択することと、
前記選択されたＣＳＩ−ＲＳにマッピングされた前記ＲＡＣＨ設定の少なくとも一部を使用して前記第２の無線ネットワークノード（１３）に対するランダムアクセスプロシージャを始動することと
を行うように設定された、無線デバイス（１０）。
【請求項２５】
前記マッピングが複数のＣＳＩ−ＲＳと複数のＲＡＣＨ設定との間のものである、請求項２４に記載の無線デバイス（１０）。
【請求項２６】
多くとも１つのＲＡＣＨ設定がＣＳＩ−ＲＳにマッピングされる、請求項２４または２５に記載の無線デバイス（１０）。
【請求項２７】
前記無線デバイスが、同期信号ブロックの一部として前記第２の無線ネットワークノードによって送信された１次同期信号および２次同期信号を受信することによってダウンリンク同期を獲得するようにさらに設定された、請求項２４から２６のいずれか一項に記載の無線デバイス（１０）。
【請求項２８】
ＲＡＣＨ設定が、ＲＡＣＨプリアンブルまたは特定のプリアンブルの送信のために使用されるべき時間周波数リソースを備える、請求項２４から２７のいずれか一項に記載の無線デバイス（１０）。
【請求項２９】
前記ＲＡＣＨ設定が、ランダムアクセス応答（ＲＡＲ）の受信のための時間ウィンドウ、または前記ＲＡＲに関連する物理チャネルの設定を備える、請求項２４から２８のいずれか一項に記載の無線デバイス（１０）。
【請求項３０】
前記無線デバイス（１０）が、前記受信されたＣＳＩ−ＲＳに関する測定に基づいて、前記１つまたは複数の受信されたＣＳＩ−ＲＳのうちの前記ＣＳＩ−ＲＳを選択するように設定された、請求項２４から２９のいずれか一項に記載の無線デバイス（１０）。
【請求項３１】
前記無線デバイス（１０）が、最良の品質または強度に関連する前記ＣＳＩ−ＲＳを選択するように設定された、請求項３０に記載の無線デバイス（１０）。
【請求項３２】
前記無線デバイス（１０）が、無線リソース制御（ＲＲＣ）メッセージ中で前記指示を受信するように設定された、請求項２４から３１のいずれか一項に記載の無線デバイス（１０）。
【請求項３３】
無線通信ネットワークにおける無線デバイス（１０）の通信を扱うための第２の無線ネットワークノード（１３）であって、前記無線通信ネットワークが、前記第２の無線ネットワークノード（１３）と第１の無線ネットワークノード（１２）とを備え、前記第１の無線ネットワークノードが前記無線デバイス（１０）をサーブし、前記第２の無線ネットワークノードが、１つまたは複数のチャネル状態情報参照信号（ＣＳＩ−ＲＳ）と１つまたは複数のランダムアクセスチャネル（ＲＡＣＨ）設定との間のマッピングを有し、前記第２の無線ネットワークノードは、
それぞれのビームに関連する１つまたは複数のＣＳＩ−ＲＳを送信することと、
ＲＡＣＨ設定の少なくとも一部を使用して、前記無線デバイス（１０）からの始動されるランダムアクセスプロシージャを検出することであって、前記ＲＡＣＨ設定が、送信された前記１つまたは複数のＣＳＩ−ＲＳのうちのＣＳＩ−ＲＳにマッピングされる、始動されるランダムアクセスプロシージャを検出することと、
前記無線デバイスへのまたは前記無線デバイスからのデータ送信を実施するために前記ＣＳＩ−ＲＳに関連する前記ビームを使用することと
を行うように設定された、第２の無線ネットワークノード（１３）。
【請求項３４】
前記マッピングが複数のＣＳＩ−ＲＳと複数のＲＡＣＨ設定との間のものである、請求項３３に記載の第２の無線ネットワークノード（１３）。
【請求項３５】
多くとも１つのＲＡＣＨ設定がＣＳＩ−ＲＳにマッピングされる、請求項３３または３４に記載の第２の無線ネットワークノード（１３）。
【請求項３６】
それぞれのビームに関連する前記送信された１つまたは複数のＣＳＩ−ＲＳに加えて、前記第２の無線ネットワークノードが、同期信号ブロックの一部として１次同期信号および２次同期信号を送信するようにさらに設定された、請求項３３から３５のいずれか一項に記載の第２の無線ネットワークノード（１３）。
【請求項３７】
ＲＡＣＨ設定が、ＲＡＣＨプリアンブルまたは特定のプリアンブルの送信のために使用されるべき時間周波数リソースを備える、請求項３３から３６のいずれか一項に記載の第２の無線ネットワークノード（１３）。
【請求項３８】
前記ＲＡＣＨ設定が、ランダムアクセス応答（ＲＡＲ）の受信のための時間ウィンドウ、または前記ＲＡＲに関連する物理チャネルの設定を備える、請求項３３から３７のいずれか一項に記載の第２の無線ネットワークノード（１３）。
【請求項３９】
前記第２の無線ネットワークノードが、ハンドオーバ時に前記１つまたは複数のＣＳＩ−ＲＳをアクティブにするように設定された、請求項３３から３８のいずれか一項に記載の第２の無線ネットワークノード（１３）。
【請求項４０】
無線通信ネットワークにおける無線デバイス（１０）の通信を扱うための第１の無線ネットワークノード（１２）であって、前記無線通信ネットワークが前記第１の無線ネットワークノード（１２）と第２の無線ネットワークノード（１３）とを備え、前記第１の無線ネットワークノード（１２）が前記無線デバイス（１０）をサーブするように動作可能であり、前記第１の無線ネットワークノード（１２）が、
前記第２の無線ネットワークノード（１３）の１つまたは複数のチャネル状態情報参照信号（ＣＳＩ−ＲＳ）と１つまたは複数のランダムアクセスチャネル（ＲＡＣＨ）設定との間のマッピングを指示する指示を、前記無線デバイス（１０）に送信する
ように設定された第１の無線ネットワークノード（１２）。
【請求項４１】
前記マッピングが複数のＣＳＩ−ＲＳと複数のＲＡＣＨ設定との間のものである、請求項４０に記載の第１の無線ネットワークノード（１２）。
【請求項４２】
多くとも１つのＲＡＣＨ設定がＣＳＩ−ＲＳにマッピングされる、請求項４０または４１に記載の第１の無線ネットワークノード（１２）。
【請求項４３】
ＲＡＣＨ設定が、ＲＡＣＨプリアンブルまたは特定のプリアンブルの送信のために使用されるべき時間周波数リソースを備える、請求項４０から４２のいずれか一項に記載の第１の無線ネットワークノード（１２）。
【請求項４４】
前記ＲＡＣＨ設定が、ランダムアクセス応答（ＲＡＲ）の受信のための時間ウィンドウ、または前記ＲＡＲに関連する物理チャネルの設定を備える、請求項４０から４３のいずれか一項に記載の第１の無線ネットワークノード（１２）。
【請求項４５】
前記第１の無線ネットワークノードが、無線リソース制御（ＲＲＣ）メッセージ中で前記指示を送信するように設定された、請求項４０から４４のいずれか一項に記載の第１の無線ネットワークノード（１２）。
【請求項４６】
前記第１の無線ネットワークノードが、１つまたは複数のＣＳＩ−ＲＳと１つまたは複数のＲＡＣＨ設定との間の前記マッピングを取得するようにさらに設定された、請求項４０から４５のいずれか一項に記載の第１の無線ネットワークノード（１２）。
【請求項４７】
無線通信ネットワーク（１）における無線デバイス（１０）の通信を扱うための無線デバイス（１０）であって、前記無線通信ネットワーク（１）が、前記無線デバイス（１０）をサーブするように設定された第１の無線ネットワークノード（１２）と、第２の無線ネットワークノード（１３）とを備え、前記無線デバイス（１０）が処理回路要素とメモリとを備え、前記メモリが前記処理回路要素によって実行可能な命令を備え、それにより前記無線デバイスが、
１つまたは複数のチャネル状態情報参照信号（ＣＳＩ−ＲＳ）と１つまたは複数のランダムアクセスチャネル（ＲＡＣＨ）設定との間のマッピングを指示する指示を受信することと、
前記第２の無線ネットワークノード（１３）から１つまたは複数のＣＳＩ−ＲＳを受信することと、
前記１つまたは複数の受信されたＣＳＩ−ＲＳのうちのＣＳＩ−ＲＳを選択することと、
前記選択されたＣＳＩ−ＲＳにマッピングされた前記ＲＡＣＨ設定の少なくとも一部を使用することによって前記第２の無線ネットワークノード（１３）に対するランダムアクセスプロシージャを始動することと
を行うように動作可能である、無線デバイス（１０）。
【請求項４８】
前記マッピングが複数のＣＳＩ−ＲＳと複数のＲＡＣＨ設定との間のものである、請求項４７に記載の無線デバイス（１０）。
【請求項４９】
多くとも１つのＲＡＣＨ設定がＣＳＩ−ＲＳにマッピングされる、請求項４７または４８に記載の無線デバイス（１０）。
【請求項５０】
前記無線デバイスが、同期信号ブロックの一部として前記第２の無線ネットワークノードによって送信された１次同期信号および２次同期信号を受信することによってダウンリンク同期を獲得するようにさらに動作可能である、請求項４７から４９のいずれか一項に記載の無線デバイス（１０）。
【請求項５１】
ＲＡＣＨ設定が、ＲＡＣＨプリアンブルまたは特定のプリアンブルの送信のために使用されるべき時間周波数リソースを備える、請求項４７から５０のいずれか一項に記載の無線デバイス（１０）。
【請求項５２】
前記ＲＡＣＨ設定が、ランダムアクセス応答（ＲＡＲ）の受信のための時間ウィンドウ、または前記ＲＡＲに関連する物理チャネルの設定を備える、請求項４７から５１のいずれか一項に記載の無線デバイス（１０）。
【請求項５３】
前記無線デバイスが、前記受信されたＣＳＩ−ＲＳに関する測定に基づいて、前記１つまたは複数の受信されたＣＳＩ−ＲＳのうちの前記ＣＳＩ−ＲＳを選択するようにさらに動作可能である、請求項４７から５２のいずれか一項に記載の無線デバイス（１０）。
【請求項５４】
前記無線デバイスが、最良の品質または強度に関連する前記ＣＳＩ−ＲＳを選択するように動作可能である、請求項５３に記載の無線デバイス（１０）。
【請求項５５】
前記指示が無線リソース制御（ＲＲＣ）メッセージ中で受信される、請求項４７から５４のいずれか一項に記載の無線デバイス（１０）。
【請求項５６】
無線通信ネットワークにおける無線デバイス（１０）の通信を扱うための第２の無線ネットワークノード（１３）であって、前記無線通信ネットワークが、前記第２の無線ネットワークノード（１３）と第１の無線ネットワークノード（１２）とを備え、前記第１の無線ネットワークノードが前記無線デバイス（１０）をサーブし、前記第２の無線ネットワークノードが、１つまたは複数のチャネル状態情報参照信号（ＣＳＩ−ＲＳ）と１つまたは複数のランダムアクセスチャネル（ＲＡＣＨ）設定との間のマッピングを有し、前記第２の無線ネットワークノードが処理回路要素とメモリとを備え、前記メモリが前記処理回路要素によって実行可能な命令を備え、それにより前記第２の無線ネットワークノードは、
それぞれのビームに関連する１つまたは複数のＣＳＩ−ＲＳを送信することと、
ＲＡＣＨ設定の少なくとも一部を使用して、前記無線デバイス（１０）からの始動されるランダムアクセスプロシージャを検出することであって、前記ＲＡＣＨ設定が、送信された前記１つまたは複数のＣＳＩ−ＲＳのうちのＣＳＩ−ＲＳにマッピングされる、始動されるランダムアクセスプロシージャを検出することと、
前記無線デバイスへのまたは前記無線デバイスからのデータ送信を実施するために前記ＣＳＩ−ＲＳに関連する前記ビームを使用することと
を行うように動作可能である、第２の無線ネットワークノード（１３）。
【請求項５７】
前記マッピングが複数のＣＳＩ−ＲＳと複数のＲＡＣＨ設定との間のものである、請求項５６に記載の第２の無線ネットワークノード（１３）。
【請求項５８】
多くとも１つのＲＡＣＨ設定がＣＳＩ−ＲＳにマッピングされる、請求項５６または５７に記載の第２の無線ネットワークノード（１３）。
【請求項５９】
それぞれのビームに関連する前記送信された１つまたは複数のＣＳＩ−ＲＳに加えて、前記第２の無線ネットワークノードが、同期信号ブロックの一部として１次同期信号および２次同期信号を送信するようにさらに動作可能である、請求項５６から５８のいずれか一項に記載の第２の無線ネットワークノード（１３）。
【請求項６０】
ＲＡＣＨ設定が、ＲＡＣＨプリアンブルまたは特定のプリアンブルの送信のために使用されるべき時間周波数リソースを備える、請求項５６から５９のいずれか一項に記載の第２の無線ネットワークノード（１３）。
【請求項６１】
前記ＲＡＣＨ設定が、ランダムアクセス応答（ＲＡＲ）の受信のための時間ウィンドウ、または前記ＲＡＲに関連する物理チャネルの設定を備える、請求項５６から６０のいずれか一項に記載の第２の無線ネットワークノード（１３）。
【請求項６２】
前記１つまたは複数のＣＳＩ−ＲＳがハンドオーバ時にアクティブにされる、請求項５６から６１のいずれか一項に記載の第２の無線ネットワークノード（１３）。
【請求項６３】
無線通信ネットワークにおける無線デバイス（１０）の通信を扱うための第１の無線ネットワークノード（１２）であって、前記第１の無線ネットワークノード（１２）が前記無線デバイス（１０）をサーブするように動作可能であり、前記無線通信ネットワークが第２の無線ネットワークノード（１３）をさらに備え、前記第１の無線ネットワークノード（１２）が処理回路要素とメモリとを備え、前記メモリが前記処理回路要素によって実行可能な命令を備え、それにより前記第１の無線ネットワークノードが、
前記第２の無線ネットワークノード（１３）の１つまたは複数のチャネル状態情報参照信号（ＣＳＩ−ＲＳ）と１つまたは複数のランダムアクセスチャネル（ＲＡＣＨ）設定との間のマッピングを指示する指示を、前記無線デバイス（１０）に送信する
ように動作可能である、第１の無線ネットワークノード（１２）。
【請求項６４】
前記マッピングが複数のＣＳＩ−ＲＳと複数のＲＡＣＨ設定との間のものである、請求項６３に記載の第１の無線ネットワークノード（１２）。
【請求項６５】
多くとも１つのＲＡＣＨ設定がＣＳＩ−ＲＳにマッピングされる、請求項６３または６４に記載の第１の無線ネットワークノード（１２）。
【請求項６６】
ＲＡＣＨ設定が、ＲＡＣＨプリアンブルまたは特定のプリアンブルの送信のために使用されるべき時間周波数リソースを備える、請求項６３から６５のいずれか一項に記載の第１の無線ネットワークノード（１２）。
【請求項６７】
前記ＲＡＣＨ設定が、ランダムアクセス応答（ＲＡＲ）の受信のための時間ウィンドウ、または前記ＲＡＲに関連する物理チャネルの設定を備える、請求項６３から６６のいずれか一項に記載の第１の無線ネットワークノード（１２）。
【請求項６８】
前記無線デバイスが、無線リソース制御（ＲＲＣ）メッセージ中で前記指示を送信するように動作可能である、請求項６３から６７のいずれか一項に記載の第１の無線ネットワークノード（１２）。
【請求項６９】
前記無線デバイスが、１つまたは複数のＣＳＩ−ＲＳと１つまたは複数のＲＡＣＨ設定との間の前記マッピングを取得するようにさらに動作可能である、請求項６３から６８のいずれか一項に記載の第１の無線ネットワークノード（１２）。
【請求項７０】
少なくとも１つのプロセッサ上で実行されたとき、前記少なくとも１つのプロセッサに、無線デバイス（１０）、第１の無線ネットワークノード（１２）または第２の無線ネットワークノード（１３）によって実施される、請求項１から２３のいずれか一項に記載の方法のいずれかを行わせる命令を備えるコンピュータプログラム製品。
【請求項７１】
少なくとも１つのプロセッサ上で実行されたとき、前記少なくとも１つのプロセッサに、無線デバイス（１０）、第１の無線ネットワークノード（１２）または第２の無線ネットワークノード（１３）によって実施される、請求項１から２３のいずれか一項に記載の方法を行わせる命令を備えるコンピュータプログラム製品を記憶した、コンピュータ可読記憶媒体。
【発明の詳細な説明】
【技術分野】
【０００１】
本明細書の実施形態は、無線通信に関する、無線ネットワークノード、無線デバイス、ならびに無線ネットワークノードおよび無線デバイスにおいて実施される方法に関する。さらに、コンピュータプログラムおよびコンピュータ可読記憶媒体も本明細書で提供される。特に、本明細書の実施形態は、無線通信ネットワークにおける無線デバイスの通信を扱うこと、たとえばハンドオーバまたは２次セル確立を可能にすることに関する。
【背景技術】
【０００２】
一般的な無線通信ネットワークでは、無線通信デバイス、移動局、局（ＳＴＡ）および／またはユーザ機器（ＵＥ）としても知られる、無線デバイスが、無線アクセスネットワーク（ＲＡＮ）を介して１つまたは複数のコアネットワーク（ＣＮ）に通信する。ＲＡＮは、サービスエリアまたはセルエリアに分割される地理的エリアをカバーし、各サービスエリアまたはセルエリアは、いくつかのネットワークでは、たとえば、「ノードＢ」または「ｅノードＢ」と呼ばれることもある、アクセスノード、たとえばＷｉ−Ｆｉアクセスポイントまたは無線基地局（ＲＢＳ）など、無線ネットワークノードによってサーブされる。サービスエリアまたはセルエリアは、アクセスノードによって無線カバレッジが提供される地理的エリアである。アクセスノードは、無線ネットワークノードの範囲内でエアインターフェースを介して無線デバイスと通信するように無線周波数上で動作する。無線ネットワークノードはダウンリンク（ＤＬ）を介して無線デバイスに通信し、無線デバイスはアップリンク（ＵＬ）を介して無線ネットワークノードに通信する。
【０００３】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は、第２世代（２Ｇ）モバイル通信用グローバルシステム（ＧＳＭ）から発展した第３世代電気通信ネットワークである。ＵＭＴＳ地上無線アクセスネットワーク（ＵＴＲＡＮ）は、本質的に、ユーザ機器との通信のために広帯域符号分割多元接続（ＷＣＤＭＡ）および／または高速パケットアクセス（ＨＳＰＡ）を使用するＲＡＮである。第３世代パートナーシッププロジェクト（３ＧＰＰ）として知られるフォーラムでは、電気通信サプライヤが、現在および将来の世代のネットワーク、具体的にＵＴＲＡＮのための規格を提案およびその規格に関して同意し、向上されたデータレートおよび無線容量を研究する。いくつかのＲＡＮでは、たとえばＵＭＴＳの場合のように、いくつかの無線ネットワークノードは、たとえば、地上線またはマイクロ波によって、無線ネットワークコントローラ（ＲＮＣ）または基地局コントローラ（ＢＳＣ）など、コントローラノードに接続され得、コントローラノードは、コントローラノードに接続された複数の無線ネットワークノードの様々なアクティビティを監視し、協調させる。ＲＮＣは、一般に、１つまたは複数のコアネットワークに接続される。
【０００４】
エボルブドパケットシステム（ＥＰＳ）のための仕様は３ＧＰＰ内で完成されており、この作業は、４Ｇネットワークおよび新しい無線（ＮＲ）などの５Ｇネットワークなど、次の３ＧＰＰリリースにおいて続く。ＥＰＳは、Ｌｏｎｇ−Ｔｅｒｍ  Ｅｖｏｌｕｔｉｏｎ（ＬＴＥ）無線アクセスネットワークとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線ネットワークノードがＥＰＣコアネットワークに直接接続される３ＧＰＰ無線アクセス技術である。したがって、ＥＰＳの無線アクセスネットワーク（ＲＡＮ）は、１つまたは複数のコアネットワークに直接接続された無線ネットワークノードを備える、本質的に「フラット」なアーキテクチャを有する。
【０００５】
新生の５Ｇ技術では、極めて多くの送信および受信アンテナエレメントを使用することは、それが送信側および受信側ビームフォーミングなど、ビームフォーミングを利用することを可能にするので、重要である。送信側ビームフォーミングは、送信機が、１つまたは複数の選択された方向において送信信号を増幅し、他の方向において送信信号を抑圧することができることを意味する。同様に、受信側では、受信機が、１つまたは複数の選択された方向からの信号を増幅し、他の方向からの不要な信号を抑圧することができる。
【０００６】
ビームフォーミングは、信号が個々の接続についてより強くなることを可能にする。送信側では、これは、（１つまたは複数の）所望の方向における送信電力の集中によって達成され得、受信側では、これは、（１つまたは複数の）所望の方向における受信機感度の増加によって達成され得る。このビームフォーミングは、接続のスループットおよびカバレッジを向上させる。ビームフォーミングは、不要な信号からの干渉を低減することをも可能にし、それにより、時間周波数グリッドにおける同じリソースを使用する複数の個々の接続を介したいくつかの同時送信、いわゆるマルチユーザ多入力多出力（ＭＩＭＯ）を可能にする。
【０００７】
チャネル状態情報参照信号（ＣＳＩ−ＲＳ）と呼ばれる、スケジュールされた参照信号が、特定の接続のために必要なときに送信される。ＣＳＩは、チャネル品質インジケータ（ＣＱＩ）と、プリコーディング行列インジケータ（ＰＭＩ）と、ランクインジケータ（ＲＩ）とを備える。ＣＱＩは、無線デバイスによって無線ネットワークノードに報告される。無線デバイスは、変調方式およびコーディング方式を無線ネットワークノードに指示する。ダウンリンクチャネル条件（ｃｏｎｄｉｔｉｏｎ）を予測するために、無線デバイスによるＣＱＩフィードバックが入力として使用され得る。ＣＱＩ報告は、ＰＭＩおよびＲＩに基づき得る。ＰＭＩは、無線デバイスによって無線ネットワークノードに指示され、そのプリコーディング行列は、ＲＩによって決定されるダウンリンク送信のために使用され得る。無線デバイスは、ＲＩ、すなわち、無線デバイスへのダウンリンク送信のために使用されるべきであるレイヤの数を無線ネットワークノードにさらに指示する。ＣＳＩ−ＲＳをいつおよびどのように送信すべきかの決定が無線ネットワークノードによって行われ、その決定は、いわゆる測定グラントを使用して、関与する無線デバイスにシグナリングされる。無線デバイスが測定グラントを受信したとき、無線デバイスは、対応するＣＳＩ−ＲＳに関して測定する。無線ネットワークノードは、ＣＳＩ−ＲＳを無線デバイスに、その無線デバイスについて強いことが知られている（１つまたは複数の）ビームのみを使用して送信することを選んで、無線デバイスがそれらのビームに関するより詳細な情報を報告することを可能にし得る。代替的に、無線ネットワークノードは、ＣＳＩ−ＲＳを、その無線デバイスについて強いことが知られていない（１つまたは複数の）ビームをも使用して送信することを選んで、たとえば、無線デバイスが移動している場合に（１つまたは複数の）新しいビームの高速検出を可能にし得る。
【０００８】
新しい無線（ＮＲ）ネットワークの無線ネットワークノードは、同様に、他の参照信号を送信する。たとえば、無線ネットワークノードは、無線デバイスに制御情報またはデータを送信するときにいわゆる復調用参照信号（ＤＭＲＳ）を送信し得る。そのような送信は、一般に、その無線デバイスについて強いことが知られている（１つまたは複数の）ビームを使用して行われる。
【０００９】
ＬＴＥでは、ＣＳＩ−ＲＳの主要な目的は、無線ネットワークノードをそのプリコーディング動作において支援するために最高８つの送信アンテナポートについてのチャネル状態フィードバックを取得することである。リリース１０は、１つ、２つ、４つおよび８つの送信アンテナポートについてＣＳＩ−ＲＳの送信をサポートする。ＣＳＩ−ＲＳはまた、将来のマルチセル協調送信方式をサポートするために、無線デバイスが、ただそのサービングセルではなく複数のセルについてＣＳＩを推定することを可能にする。ＬＴＥにおけるＣＳＩ−ＲＳ測定の目的はセルにわたるモビリティをサポートすることではないことに注意されたい。
【００１０】
ＬＴＥでは、ＲＲＣ＿ＣＯＮＮＥＣＴＥＤ無線デバイスが、ＲＲＣＣｏｎｎｅｃｔｉｏｎＲｅｃｏｎｆｉｇｕｒａｔｉｏｎメッセージであるハンドオーバコマンドをサービングセルから受信することによってサービングセルからターゲットセルへのハンドオーバを実施し得る。ＲＲＣＣｏｎｎｅｃｔｉｏｎＲｅｃｏｎｆｉｇｕｒａｔｉｏｎメッセージは、ターゲットの物理セル識別子（ＰＣＩ）およびターゲットセルのランダムアクセスチャネル（ＲＡＣＨ）設定など、無線デバイスがターゲットセルにアクセスするためのすべての必要な情報を含んでいる。
【００１１】
無線リソース制御（ＲＲＣ）仕様３ＧＰＰ  ＴＳ３６．３３１  ｖ．１４．０．０では、その情報は、ハンドオーバを無線デバイスに指示するために、ＲＲＣＣｏｎｎｅｃｔｉｏｎＲｅｃｏｎｆｉｇｕｒａｔｉｏｎメッセージ中に存在するｍｏｂｉｌｉｔｙＣｏｎｔｒｏｌＩｎｆｏ情報エレメント（ＩＥ）中で符号化される。ＲＡＣＨ情報の場合、共通である部分、ＩＥ  ｒａｄｉｏＲｅｓｏｕｒｃｅＣｏｎｆｉｇＣｏｍｍｏｎの部分、およびｒａｃｈ−ＣｏｎｆｉｇＤｅｄｉｃａｔｅｄ中で符号化された専用である別の随意の部分（たとえば、競合なしランダムアクセスのための無線デバイス固有のプリアンブル）がある。これらのＩＥのうちのいくつかは、以下で下線を引かれている。
2020511879.tif 000003
前に説明されたパラメータが強調されている、ＴＳ３６．３３１に記載されているＭｏｂｉｌｉｔｙＣｏｎｔｒｏｌＩｎｆｏ情報エレメントの部分
【００１２】
ＴＳ３６．３３１  ｖ．１４．０．０に記載されている一般ＲＡパラメータを含んでいるＲＡＣＨ  ｃｏｎｆｉｇＣｏｍｍｏｎ  ＩＥが、以下に示されている。
2020511879.tif 000004
ＴＳ３６．３３１に記載されている一般ＲＡパラメータを含んでいるＲＡＣＨ−ＣｏｎｆｉｇＣｏｍｍｏｎ  ＩＥ
【００１３】
ＴＳ３６．３３１  ｖ．１４．０．０に記載されている専用ＲＡパラメータを含んでいるＲＡＣＨ  ｃｏｎｆｉｇＤｅｄｉｃａｔｅｄ  ＩＥが、以下に示されている。
2020511879.tif 000005
ＴＳ３６．３３１に記載されている専用ＲＡパラメータを含んでいるＲＡＣＨ−ＣｏｎｆｉｇＤｅｄｉｃａｔｅｄ情報エレメント
【００１４】
ｍｏｂｉｌｉｔｙＣｏｎｔｒｏｌＩｎｆｏが専用ＲＡＣＨ情報を含んでいる場合、無線デバイスは、所与のプリアンブルを予想するべきである、ターゲットセルへの競合なしランダムアクセスのために専用ＲＡＣＨ情報を使用し、他の場合、無線デバイスは、単に、ｍｏｂｉｌｉｔｙＣｏｎｔｒｏｌＩｎｆｏの部分である、共通ＲＡＣＨ設定において提供された設定ごとに競合ベースランダムアクセスを実施するべきである。
【００１５】
新しい無線（ＮＲ）は、ビームフォーミングを使用して、カバレッジを改善し、および／または、少なくとも、データチャネル信号対干渉プラス雑音比（ＳＩＮＲ）を高めるべきであり、それにより、無線デバイスが極めて高いデータレートを用いて送信／受信する、帯域を含む、広範囲の周波数をサポートするためのシステムとして設計され得る。
【００１６】
ＲＲＣ＿ＣＯＮＮＥＣＴＥＤ状態でのモビリティに関して、以下が仮定され得る。
１  ターゲットセルについてのアクセス情報（たとえばＲＡＣＨ設定）は、無線デバイスがシステム情報を読み取ることなしにセルにアクセスすることを可能にするために、ハンドオーバ（ＨＯ）コマンド中で提供される。アクセス情報は、（もしあれば）ビーム固有の情報を含み得る。
【００１７】
さらに、以下も仮定され得る。
１  少なくともセル識別情報（ＩＤ）、およびターゲットセルにアクセスするために必要とされるすべての情報が、ＨＯコマンド中に含まれる。
２  少なくともいくつかの場合、競合ベースおよび競合なしアクセスのために必要とされる情報がＨＯコマンド中に含まれ得る。
３  ターゲットセルのどのビーム関係情報が必要とされ得るかについて要検討。
【００１８】
無線デバイスは、現在の仮定の下で、ＮＲにおいてＲＲＣ＿ＣＯＮＮＥＣＴＥＤ状態でターゲットセルにアクセスすることになる。
【００１９】
ＲＡＮ１用語は、少なくとも、ＮＲ同期シーケンス（新しい無線−１次同期信号（ＮＲ−ＰＳＳ）および／または新しい無線−２次同期信号（ＮＲ−ＳＳＳ））と物理ブロードキャストチャネル（ＰＢＣＨ）との組合せがいわゆる同期信号（ＳＳ）ブロックを構成すると仮定した。ＳＳブロックはまた、直交周波数分割多重（ＯＦＤＭ）シンボルタイミングまたは等価情報を指示するために３次同期信号（ＴＳＳ）を含んでいることがあるが、これは、依然として、ＲＡＮ１においてさらなる検討が必要である。ターゲットセルにアクセスすることを試みるＲＲＣ＿ＣＯＮＮＥＣＴＥＤ無線デバイスは、ＳＳブロックがＳＳブロック送信の繰返しバーストの形態で送信され得（「ＳＳバースト」と示される）、そのようなＳＳバーストが、時間的に互いのすぐ後に続くいくつかのＳＳブロック送信からなると仮定するべきである。さらに、ＳＳバーストのセットが一緒にグループ化され得（「ＳＳバーストセット」と示される）、ＳＳバーストセット中のＳＳバーストは、互いに何らかの関係を有すると仮定される。ＳＳバーストとＳＳバーストセットの両方は、それらのそれぞれの所与の周期性を有する。単一ビームシナリオでは、ネットワークは、ワイドビーム中の１つのＳＳバースト内の時間繰返しを設定し得る。マルチビームシナリオでは、これらの信号および物理チャネル（たとえばＳＳブロック）のうちの少なくともいくつかが、複数のビーム中で送信されることになり、これは、ネットワーク実装形態に応じて異なる様式で行われ得る。
【００２０】
ＬＴＥ１次におけるＲｅｌ−１３全次元（ＦＤ：Ｆｕｌｌ  Ｄｉｍｅｎｓｉｏｎ）−ＭＩＭＯ仕様に関する作業は、ＬＴＥにおけるビームフォーミングのサポートを含む。ＲＲＣ＿ＣＯＮＮＥＣＴＥＤ無線デバイスに、ネットワーク側で異なるＤＬビームに関連し得るいわゆるチャネル状態情報参照信号（ＣＳＩ−ＲＳ）プロセスのセットが設定され得る。これらのＤＬビームは、異なるサブフレームについて異なる方向において送信され得る。図１Ｂ参照。ビームフォーミングされたＣＳＩ−ＲＳでは、無線デバイスは、異なる方向のほうへビームフォーミングされたＣＳＩ−ＲＳリソースに関してチャネル状態情報（ＣＳＩ）を測定し得る。言い換えれば、ビームフォーミングされたＣＳＩ−ＲＳでは、ＤＬビーム方向は、設定されたＣＳＩ−ＲＳリソースに実際にマッピングされ、したがって、報告が、ネットワーク側でＤＬビームに関連し得る。
【００２１】
図１Ａおよび図１Ｂは、ＬＴＥにおけるＲｅｌ−１３  ＦＤ−ＭＩＭＯ仕様が、ビームフォーミングされたＣＳＩ−ＲＳについてクラスＢと呼ばれる向上されたＣＳＩ−ＲＳ報告をサポートすることを示す。そこでは、ＬＴＥ  ＲＲＣ＿ＣＯＮＮＥＣＴＥＤ無線デバイスに、Ｋ個のビーム（ここで８＞Ｋ＞１）が設定され得、ここで、Ｋは、各ビームについて１、２、４または８のポート数であり得る。ＰＭＩ、ＲＩおよびＣＱＩなど、フィードバック目的のために、ＣＳＩ−ＲＳごとにＣＳＩ−ＲＳリソースインジケータ（ＣＲＩ）がある。無線デバイスは、ＣＲＩが広帯域であり、ＲＩ／ＣＱＩ／ＰＭＩがレガシーコードブック（すなわちＲｅｌ−１２）に基づき、ＣＲＩ報告期間がＲＩの整数倍である好ましいビームを指示するためにＣＲＩを報告する。Ｒｅｌ−１４強化型全次元（ｅＦＤ：ｅｎｈａｎｃｅｍｅｎｔｓ  ｉｎ  Ｆｕｌｌ  Ｄｉｍｅｎｓｉｏｎ）−ＭＩＭＯの場合、以下は、最高３２個、すなわち｛２０、２４、２８、３２｝個のＣＳＩ−ＲＳポートのＣＳＩ−ＲＳアンテナポート数の拡張、および非周期的ＣＳＩ−ＲＳの導入など、潜在的向上と見なされている。
【００２２】
ＣＳＩ−ＲＳは、ＮＲにおけるビーム管理のための１次ＲＳであり得る。ＬＴＥにおけるビームフォーミングされたＣＳＩ−ＲＳと比較して、おそらく、主要な追加の使用事例は、場合によっては細かい時間および周波数（Ｔ／Ｆ）トラッキングのためにも使用される、アナログビームスイープである。したがって、以下のものなど、ＮＲにおけるＮＲ  ＣＳＩ−ＲＳのためのさらなるフレキシビリティも想定される。
−  場合によっては１つ、２つまたは４つのシンボル内で送信される。
−  設定可能な帯域幅（すなわち、ＬＴＥの場合のように常に全システムであるとは限らない）。
−  直交周波数分割多重（ＯＦＤＭ）シンボルはＣＳＩ−ＲＳのみを搬送し得る。
−  非周期的送信、半永続的送信および周期的送信。
【００２３】
ＬＴＥにおけるＣＳＩ−ＲＳの使用の大部分は、ビーム管理をサポートするための測定に関係する。それに加えて、ＣＳＩ−ＲＳは、詳細は規定されていないが、セル間モビリティ、すなわちセル間の移動をサポートするための無線リソース管理（ＲＲＭ）測定のために使用され得る。
【００２４】
ＳＳブロック送信のための異なるビームフォーミング実装形態は、ハンドオーバの場合に仮定され得、ターゲットセルは、これらの異なるビームフォーミング実装形態のうちの１つを実装し得る。
【００２５】
単一ビームがＳＳバーストセットを送信する場合、ハンドオーバ（ＨＯ）コマンドは、ターゲットセルのための単一ＲＡＣＨ設定を含んでいることがある。無線デバイスがＨＯコマンドを受信すると、無線デバイスはターゲットにアクセスし、無線デバイスがランダムアクセスプリアンブルを送ることによって、ランダムアクセスプロシージャがトリガされる。デバイス、ノード、無線基地局、または送信および受信ポイント（ＴＲＰ）が方向相反性をサポートすることは、それが、（たとえば好適なプリコーディングパラメータおよび／またはアンテナ重みを選択することによって）受信された送信が受信された方向の反対方向において送信が集束されるように、受信された送信に基づいて送信ビームを形成することができることを意味する。方向相反性が仮定されない限り、ターゲットセルは、無線デバイスがハンドオーバ完了メッセージ（または、ハンドオーバが無線デバイスにおいて完了されたことを知らせるための何らかの等価なもの）を検出し、送信するまですべての方向においてスイープすること、または、時間繰返しでランダムアクセス応答（ＲＡＲ）を送信することのいずれかによってＲＡＲを送信し、ＨＯ完了メッセージを予想する。これらの場合のいずれにおいても、ハンドオーバの後に、データレート／サービスに応じて、所望の無線デバイス性能は、ターゲットセルがビーム改良のビーム管理動作をトリガし、無線デバイスがＰＤＣＣＨ／ＰＤＳＣＨのためのナロービームをターゲット中で使用することを可能にすることを必要とする。それは、たとえばビーム管理のために設定されたＣＳＩ−ＲＳプロセスに基づいてターゲットセル中で測定を実施するために、追加のＲＲＣ設定、追加の測定および報告機構、または追加の遅延を必要とし得る。言い換えれば、ハンドオーバの後に、無線デバイスが再びターゲットセル中でナロービームにアクセスすることができるまである程度の時間を要し得、したがって、ターゲットセルが高利得を伴ってＰＤＳＣＨをビームフォーミングし始めることができるまである程度の時間を要することがある。
【００２６】
ＳＳバーストセットを送信するために複数のナロービームが使用される場合、ハンドオーバコマンドは、ターゲットセルからのＳＳブロックビームまたはＳＳブロックビームのグループに関連する、ターゲットセルのための複数のＲＡＣＨ設定を含んでいることがある。無線デバイスがハンドオーバコマンドを受信すると、無線デバイスは、ターゲットセル中のＳＳブロックビームを選択し、ＳＳブロックビームが、どのように、ＳＳブロックビームごとに、受信されたＲＡＣＨ設定にマッピングするかをチェックし、ターゲットセルのＳＳブロックビームまたはＳＳブロックビームのグループに関連するランダムアクセスプリアンブルを送ることによってランダムアクセスプロシージャを始動し得る。可能なマッピングが図１Ｃに示されている。
【００２７】
方向相反性がない場合でさえ、実装形態は、ターゲットセルが、（プリアンブルを含む）ＲＡＣＨ設定とターゲットセルＤＬ  ＳＳブロックビームとの間のマッピングのおかげで、無線デバイスをカバーする（ＵＥが受信／選択したＳＳブロックビームに対応する）最も強いＤＬビーム中でＲＡＲを送信することを可能にする。それは、無線デバイスがハンドオーバ実行の直後にターゲット中でナロービームに迅速にアクセスすることを可能にする。
【００２８】
その利益にもかかわらず、そのようなソリューションは、特に以下のことを考慮すると、かなり高いオーバーヘッドおよびアクセスレイテンシに関して欠点を有する。
−  １）ＳＳバーストのナローＳＳブロックビームのスイーピングが使用されている時間の大部分、ハンドオーバが行われてさえいない。したがって、ターゲットセル中のナロービームへの迅速なアクセスを可能にするためにこのソリューションを使用することは、いくつかの場合には、明らかな利益がなくあまりにコストがかかり得る。
−  ２）多くの場合、ハンドオーバは、入って来る無線デバイスがターゲット中のナロー高利得ビームに依拠することを実際に必要としないことになる。いくつかの場合には、無線デバイスが低いデータレートサービスを使用するか、または連続的にデータを送信することさえしていないとき、ターゲット中のワイドビームアクセスが十分であり得る。したがって、オーバーヘッドは、いくつかのハンドオーバにおいて必要とされないことになる。
【００２９】
オーバーヘッドとビームへの迅速なアクセスとの間の妥協点を見つけようとする試みは、ビームスイーピングが考慮されるが、オーバーヘッドを低減するためにワイドビームが使用される場合である。しかしながら、そのソリューションも、そのソリューションが静的な設定であるので、前に説明されたこと１）および２）を考慮しない。言い換えれば、そのソリューションは、無線デバイスがハンドオーバ実行の後にターゲットにおいてＤＬビームにアクセスすることを可能にすることを試みるが、無線デバイスが改良されたＤＬビームを必要とするいくつかの場合には、追加のステップが、いずれにせよ、ビーム改良のためにターゲット中で必要とされる。
【００３０】
要約すれば、ＳＳバーストセット中でできるだけナローなＳＳブロックビームを規定することは、極めてナローなビームへの無線デバイスアクセスの速度を上げる。一方、そのためのコストは、ナロービーム中のＳＳブロックの周期的ビームスイーピングの送信であり、これは、ネットワーク、たとえばネイバリングｇＮＢが無線デバイスのためのセルへのハンドオーバを考慮するとき、それが主に、これらの期間が有用であり得ることを考慮すると、有意なオーバーヘッドを表し得る。初期アクセス中に、データコネクティビティがまだ開始していないと主張することがあり、したがって、無線デバイスは、ネットワークがより高いデータレートのためのワイドビーム内のビーム改良／選択のためにＣＳＩ−ＲＳプロセスのセットを設定するまで、ワイドＤＬビーム送信から開始する余裕があり得る。しかしながら、ハンドオーバの場合、無線デバイスがサービングセル中で高データレートサービスをすでに有し得、したがって、図１Ｄに示されている、ワイドビームへのハンドオーバ、次いでビーム改良を実施するが、少なくともいくつかのサービスのための非シームレスハンドオーバを表し得る。図１Ｄに示されているように、ソース無線ネットワークノード（セル１）は、ハンドオーバ実行の前に、単一ＲＡＣＨ設定をもつＨＯコマンドを送る。無線デバイスは、次いで、ランダムアクセス（ＲＡ）プリアンブルと、ＲＡＲと、ビーム選択なしの（ｗ／ｏ）ＨＯ完了とを使用して、ハンドオーバ実行の後にターゲットにアクセスする。無線デバイスは、ＨＯ実行の後にビーム改良を実施し、ビーム改良は、ＲＲＣ設定、測定および報告を必要とし得る。ＨＯ実行の後のビーム改良は、ナロービームにアクセスするために追加のシグナリングおよび遅延をもたらし得る。これは、無線通信ネットワークの性能の低減または制限につながり得る。
【発明の概要】
【００３１】
本明細書の実施形態の目的は、無線通信ネットワークにおいてビームフォーミングを使用するときの無線通信ネットワークの性能の改善を可能にすることである。
【００３２】
第１の態様によれば、無線通信ネットワークにおける無線デバイスの通信を扱うための無線デバイスによって実施される方法が提供される。無線通信ネットワークは、第１の無線ネットワークノードと第２の無線ネットワークノードとを備え、第１の無線ネットワークノードは無線デバイスをサーブする。無線デバイスは、１つまたは複数のチャネル状態情報参照信号（ＣＳＩ−ＲＳ）と１つまたは複数のランダムアクセスチャネル（ＲＡＣＨ）設定との間のマッピングを指示する指示を受信する。無線デバイスは、第２の無線ネットワークノードから１つまたは複数のＣＳＩ−ＲＳを受信し、１つまたは複数の受信されたＣＳＩ−ＲＳのうちのＣＳＩ−ＲＳ、たとえば最も高い測定された信号品質を選択する。無線デバイスは、さらに、選択されたＣＳＩ−ＲＳにマッピングされたＲＡＣＨ設定の少なくとも一部を使用して第２の無線ネットワークノードに対するランダムアクセスプロシージャを始動する。
【００３３】
別の態様によれば、無線通信ネットワークにおける無線デバイスの通信を扱うための第２の無線ネットワークノードによって実施される方法が提供される。無線通信ネットワークは、第２の無線ネットワークノードと第１の無線ネットワークノードとを備える。第１の無線ネットワークノードは無線デバイスをサーブする。第２の無線ネットワークノードに、１つまたは複数のＣＳＩ−ＲＳと１つまたは複数のＲＡＣＨ設定との間のマッピングが設定される。第２の無線ネットワークノードは、それぞれのビーム、たとえばナロービームに関連する１つまたは複数のＣＳＩ−ＲＳを送信することと、ＲＡＣＨ設定の少なくとも一部を使用して、無線デバイスからの始動されるランダムアクセスプロシージャを検出することであって、ＲＡＣＨ設定が、送信された１つまたは複数のＣＳＩ−ＲＳのうちのＣＳＩ−ＲＳにマッピングされる、始動されるランダムアクセスプロシージャを検出することとを行う。たとえば、第２の無線ネットワークノードは、あるＣＳＩ−ＲＳにマッピングされた、ランダムアクセスチャネル設定、たとえばランダムアクセスプリアンブルの少なくとも一部を使用して、無線デバイスからランダムアクセス要求を受信し、したがって、無線デバイスにおいて選択されたあるＣＳＩ−ＲＳを検出する。第２の無線ネットワークノードは、次いで、無線デバイスへのまたは無線デバイスからのデータ送信を実施するためにＣＳＩ−ＲＳに関連するビームを使用する。
【００３４】
さらなる態様によれば、無線通信ネットワークにおける無線デバイスの通信を扱うための第１の無線ネットワークノードによって実施される方法が提供される。第１の無線ネットワークノードは無線デバイスをサーブし、無線通信ネットワークは第２の無線ネットワークノードをさらに備える。第１の無線ネットワークノードは、第２の無線ネットワークノードの１つまたは複数のＣＳＩ−ＲＳと１つまたは複数のＲＡＣＨ設定との間のマッピングを指示する指示を、無線デバイスに送信する。
【００３５】
別の態様によれば、少なくとも１つのプロセッサ上で実行されたとき、少なくとも１つのプロセッサに、無線デバイス、第１の無線ネットワークノードまたは第２の無線ネットワークノードによって実施される、本明細書の方法を行わせる命令を備えるコンピュータプログラムが提供される。さらに、少なくとも１つのプロセッサ上で実行されたとき、少なくとも１つのプロセッサに、無線デバイス、第１の無線ネットワークノードまたは第２の無線ネットワークノードによって実施される、本明細書の方法を行わせる命令を備えるコンピュータプログラムを記憶した、コンピュータ可読記憶媒体が、本明細書で提供される。
【００３６】
また別の態様によれば、無線通信ネットワークにおける無線デバイスの通信を扱うための無線デバイスであって、無線通信ネットワークが、無線デバイスをサーブするように設定された第１の無線ネットワークノードと、第２の無線ネットワークノードとを備える、無線デバイスが提供される。本無線デバイスは、１つまたは複数のＣＳＩ−ＲＳと１つまたは複数のＲＡＣＨ設定との間のマッピングを指示する指示を受信するように設定される。本無線デバイスは、第２の無線ネットワークノードから１つまたは複数のＣＳＩ−ＲＳを受信し、１つまたは複数の受信されたＣＳＩ−ＲＳのうちのＣＳＩ−ＲＳを選択するように設定される。本無線デバイスは、選択されたＣＳＩ−ＲＳにマッピングされたＲＡＣＨ設定の少なくとも一部を使用することによって第２の無線ネットワークノードに対するランダムアクセスプロシージャを始動するようにさらに設定される。
【００３７】
さらに別の態様によれば、無線通信ネットワークにおける無線デバイスの通信を扱うための第２の無線ネットワークノードが提供される。無線通信ネットワークは、第２の無線ネットワークノードと第１の無線ネットワークノードとを備え、第１の無線ネットワークノードは無線デバイスをサーブし、第２の無線ネットワークノードは、１つまたは複数のＣＳＩ−ＲＳと１つまたは複数のＲＡＣＨ設定との間のマッピングを有する。第２の無線ネットワークノードは、それぞれのビームに関連する１つまたは複数のＣＳＩ−ＲＳを送信するように設定される。第２の無線ネットワークノードは、ＲＡＣＨ設定の少なくとも一部を使用して、無線デバイスからの始動されるランダムアクセスプロシージャを検出することであって、ＲＡＣＨ設定が、送信された１つまたは複数のＣＳＩ−ＲＳのうちのＣＳＩ−ＲＳにマッピングされる、始動されるランダムアクセスプロシージャを検出することを行うようにも設定される。第２の無線ネットワークノードは、無線デバイスへのまたは無線デバイスからのデータ送信を実施するためにＣＳＩ−ＲＳに関連するビームを使用するように設定される。
【００３８】
さらにまた別の態様によれば、無線通信ネットワークにおける無線デバイスの通信を扱うための第１の無線ネットワークノードが提供される。第１の無線ネットワークノードは無線デバイスをサーブするように動作可能であり、無線通信ネットワークは第２の無線ネットワークノードをさらに備える。第１の無線ネットワークノードは、第２の無線ネットワークノードの１つまたは複数のＣＳＩ−ＲＳと１つまたは複数のＲＡＣＨ設定との間のマッピングを指示する指示を、無線デバイスに送信するように設定される。
【００３９】
さらに、別の態様によれば、無線通信ネットワークにおける無線デバイスの通信を扱うための無線デバイスであって、無線通信ネットワークが、無線デバイスをサーブするように設定された第１の無線ネットワークノードと、第２の無線ネットワークノードとを備える、無線デバイスが提供される。本無線デバイスは処理回路要素とメモリとを備え、前記メモリは前記処理回路要素によって実行可能な命令を備え、それにより、前記無線デバイスは、１つまたは複数のＣＳＩ−ＲＳと１つまたは複数のＲＡＣＨ設定との間のマッピングを指示する指示を受信するように動作可能である。本無線デバイスは、第２の無線ネットワークノードから１つまたは複数のＣＳＩ−ＲＳを受信し、１つまたは複数の受信されたＣＳＩ−ＲＳのうちのＣＳＩ−ＲＳを選択するようにさらに動作可能である。本無線デバイスは、選択されたＣＳＩ−ＲＳにマッピングされたＲＡＣＨ設定の少なくとも一部を使用することによって第２の無線ネットワークノードに対するランダムアクセスプロシージャを始動するようにも動作可能である。
【００４０】
さらに、別の態様によれば、無線通信ネットワークにおける無線デバイスの通信を扱うための第２の無線ネットワークノードが提供される。無線通信ネットワークは、第２の無線ネットワークノードと第１の無線ネットワークノードとを備え、第１の無線ネットワークノードは無線デバイスをサーブし、第２の無線ネットワークノードは、１つまたは複数のＣＳＩ−ＲＳと１つまたは複数のＲＡＣＨ設定との間のマッピングを有する。第２の無線ネットワークノードは処理回路要素とメモリとを備え、前記メモリは前記処理回路要素によって実行可能な命令を備え、それにより、前記第２の無線ネットワークノードは、それぞれのビームに関連する１つまたは複数のＣＳＩ−ＲＳを送信するように動作可能である。第２の無線ネットワークノードは、ＲＡＣＨ設定の少なくとも一部を使用して、無線デバイスからの始動されるランダムアクセスプロシージャを検出することであって、ＲＡＣＨ設定が、送信された１つまたは複数のＣＳＩ−ＲＳのうちのＣＳＩ−ＲＳにマッピングされる、始動されるランダムアクセスプロシージャを検出することを行うようにさらに動作可能である。第２の無線ネットワークノードは、無線デバイスへのまたは無線デバイスからのデータ送信を実施するためにＣＳＩ−ＲＳに関連するビームを使用するようにさらに動作可能である。
【００４１】
さらに、別の態様によれば、無線通信ネットワークにおける無線デバイスの通信を扱うための第１の無線ネットワークノードが提供される。第１の無線ネットワークノードは無線デバイスをサーブするように動作可能であり、無線通信ネットワークは第２の無線ネットワークノードをさらに備える。第１の無線ネットワークノードは処理回路要素とメモリとを備え、前記メモリは前記処理回路要素によって実行可能な命令を備え、それにより、前記第１の無線ネットワークノードは、第２の無線ネットワークノードの１つまたは複数のＣＳＩ−ＲＳと１つまたは複数のＲＡＣＨ設定との間のマッピングを指示する指示を、無線デバイスに送信するように動作可能である。
【００４２】
本明細書の実施形態は、ネットワークが、たとえばワイドビーム中のＳＳバーストセットの送信を実装することを可能にし、必要とされるときのみ、たとえば、ハンドオーバを実施する無線デバイスが、第２の無線ネットワークノードにおいてＣＳＩ−ＲＳに関連するナロービームに迅速にアクセスすることを可能にし、あるいは、キャリアアグリゲーションおよび／またはデュアルコネクティビティのための第２の無線ネットワークノードにおけるナローＤＬビームへの迅速なアクセスを可能にする。これは、高データレートサービスのためのシームレスモビリティを可能にし、同時に、高いオーバーヘッド、さらには、固定オーバーヘッド場合、高いレイテンシを伴うソリューションを実装するようにネットワークに強制しない。さらに、これは、たとえばハンドオーバの終結の後に実施されるべきビーム改良プロシージャの追加のオーバーヘッドなしに達成される。無線デバイスが、選択されたＣＳＩ−ＲＳにマッピングされたＲＡＣＨ設定を使用することを可能にすることによって、リソースが効率的な様式で使用され、選択されたターゲットビームが迅速に識別され、無線通信ネットワークの性能の改善につながる。
【００４３】
次に、同封の図面に関して実施形態がより詳細に説明される。
【図面の簡単な説明】
【００４４】
【図１Ａ】ＬＴＥにおけるビームフォーミングされたＣＳＩ−ＲＳを示す図である。
【図１Ｂ】ＬＴＥにおけるビームフォーミングされたＣＳＩ−ＲＳを示す図である。
【図１Ｃ】そこで、各ＳＳブロックが、ＲＡＣＨ設定と、ＳＳブロックを送信する最も強いＤＬビームとの間のマッピングを含んでいることを示す図である。この例では、各ＰＲＡＣＨオケージョン／リソースが２つのＳＳブロックビームに関連する。
【図１Ｄ】ハンドオーバ実行と、その後に続くビーム改良とを示す一例を示す図である。そのステップは、ＳＳバーストのワイドビームスイーピング送信の場合、必要であり得る。
【図２】本明細書の実施形態による、無線通信ネットワークを示す概観を示す図である。
【図３】本明細書の実施形態による、概略的な組み合わせられたフローチャートおよびシグナリング方式の図である。
【図４】ＳＳバースト、およびナロービームのための参照信号など、異なる信号に割り当てられたサブフレームを示す図である。
【図５】ターゲット／２次セルが単一ビーム中でＳＳバーストを送信し、したがって、（ＣＳＩ−ＲＳなどの）追加のＲＳが、ＲＡＣＨ受信を改善し、および／あるいは、ターゲットセルがハンドオーバ実行または２次セル確立の一部としてＤＬビーム選択を実施することを可能にするための手段を提供する場合を示す図である。
【図６】ターゲット／２次セルが複数のワイドビーム中でＳＳバーストを送信し、したがって、（ＣＳＩ−ＲＳなどの）追加のＲＳが、ＲＡＣＨ受信をなお一層改善し、および／あるいは、ターゲットセルがハンドオーバ実行または２次セル確立の一部としてＤＬビーム選択を実施することを可能にするための手段を提供する場合を示す図である。
【図７】追加のＲＳが、ターゲットセル／サービスエリア中の厳密なＴＲＰ（無線ネットワークノード）を指示するためにハンドオーバ実行または２次セル確立／追加において使用される場合を示す図である。
【図８Ａ】本明細書の実施形態による、無線デバイスによって実施される方法を示す図である。
【図８Ｂ】本明細書の実施形態による、第２の無線ネットワークノードによって実施される方法を示す図である。
【図８Ｃ】本明細書の実施形態による、第１の無線ネットワークノードによって実施される方法を示す図である。
【図９】本明細書の実施形態による、組み合わせられたフローチャートおよびシグナリング方式の図である。
【図１０】本明細書の実施形態による、無線デバイスを示すブロック図である。
【図１１】本明細書の実施形態による、第１の無線ネットワークノードを示すブロック図である。
【図１２】本明細書の実施形態による、第２の無線ネットワークノードを示すブロック図である。
【発明を実施するための形態】
【００４５】
本明細書の実施形態は、一般に、無線通信ネットワークに関する。図２は、無線通信ネットワーク１を示す概観である。無線通信ネットワーク１は、１つまたは複数のＲＡＮと、１つまたは複数のＣＮとを備える。無線通信ネットワーク１は、ほんの数個の可能な実装形態を挙げると、新しい無線（ＮＲ）、Ｗｉ−Ｆｉ、ＬＴＥ、ＬＴＥアドバンスト、第５世代（５Ｇ）、広帯域符号分割多元接続（ＷＣＤＭＡ）、モバイル通信用グローバルシステム／ＧＳＭ進化型高速データレート（ＧＳＭ／ＥＤＧＥ：Ｇｌｏｂａｌ  Ｓｙｓｔｅｍ  ｆｏｒ  Ｍｏｂｉｌｅ  ｃｏｍｍｕｎｉｃａｔｉｏｎｓ／ｅｎｈａｎｃｅｄ  Ｄａｔａ  ｒａｔｅ  ｆｏｒ  ＧＳＭ  Ｅｖｏｌｕｔｉｏｎ）、ワールドワイドインターオペラビリティフォーマイクロウェーブアクセス（ＷｉＭａｘ）、またはウルトラモバイルブロードバンド（ＵＭＢ）など、１つまたはいくつかの異なる技術を使用し得る。本明細書の実施形態は、ＮＲなど、５Ｇコンテキストにおいて特に関心の対象となる最近の技術傾向に関する。しかしながら、実施形態は、たとえばＷＣＤＭＡおよびＬＴＥなど、既存の無線通信システムのさらなる発展においても適用可能である。
【００４６】
無線通信ネットワーク１において、移動局、非アクセスポイント（非ＡＰ）ＳＴＡ、ＳＴＡ、ユーザ機器および／または無線端末など、無線デバイス、たとえば無線デバイス１０が、１つまたは複数のアクセスネットワーク（ＡＮ）、たとえばＲＡＮを介して１つまたは複数のコアネットワーク（ＣＮ）に通信する。「無線デバイス」が、ネットワークノードによってサーブされるエリア内でネットワークノードとの無線通信を使用して通信することが可能な、任意の端末、無線通信端末、ユーザ機器、マシン型通信（ＭＴＣ）デバイス、デバイスツーデバイス（Ｄ２Ｄ）端末、またはノード、たとえば、スマートフォン、ラップトップ、モバイルフォン、センサー、リレー、モバイルタブレット、さらには小さい基地局を意味する、非限定的な用語であることが当業者によって理解されるべきである。
【００４７】
無線通信ネットワーク１は、ＮＲ、ＬＴＥ、Ｗｉ−Ｆｉ、ＷｉＭＡＸまたは同様のものなど、第１の無線アクセス技術（ＲＡＴ）の、地理的エリア、第１のサービスエリア１１または第１のビーム／ビームグループ上の無線カバレッジを提供する、単に無線ネットワークノードとも呼ばれる、第１の無線ネットワークノード１２を備える。第１の無線ネットワークノード１２は、送信および受信ポイント、たとえば、無線ローカルエリアネットワーク（ＷＬＡＮ）アクセスポイントまたはアクセスポイント局（ＡＰ  ＳＴＡ）などの無線ネットワークノード、アクセスノード、アクセスコントローラ、基地局、たとえばノードＢ、エボルブドノードＢ（ｅＮＢ、ｅノードＢ）などの無線基地局、基地トランシーバ局、無線リモートユニット、アクセスポイント基地局、基地局ルータ、無線基地局の送信構成、スタンドアロンアクセスポイント、あるいは、たとえば使用される第１の無線アクセス技術および用語に応じて第１の無線ネットワークノード１２によってサーブされるサービスエリア内で無線デバイスと通信することが可能な任意の他のネットワークユニットまたはノードであり得る。第１の無線ネットワークノード１２はサービングネットワークノードと呼ばれることがあり、第１のサービスエリアはソースビームと呼ばれることがあり、サービングネットワークノードは、無線デバイス１０をサーブし、無線デバイス１０へのＤＬ送信および無線デバイス１０からのＵＬ送信の形式で無線デバイス１０と通信する。
【００４８】
第２の無線ネットワークノード１３が、ＮＲ、ＬＴＥ、Ｗｉ−Ｆｉ、ＷｉＭＡＸまたは同様のものなど、第２の無線アクセス技術（ＲＡＴ）の第２のサービスエリア１４または第２のビーム／ビームグループ上の無線カバレッジをさらに提供し得る。第１のＲＡＴと第２のＲＡＴとは、同じまたは異なるＲＡＴであり得る。第２の無線ネットワークノード１３は、送信および受信ポイント、たとえば、無線ローカルエリアネットワーク（ＷＬＡＮ）アクセスポイントまたはアクセスポイント局（ＡＰ  ＳＴＡ）などの無線ネットワークノード、アクセスノード、アクセスコントローラ、基地局、たとえばノードＢ、エボルブドノードＢ（ｅＮＢ、ｅノードＢ）などの無線基地局、基地トランシーバ局、無線リモートユニット、アクセスポイント基地局、基地局ルータ、無線基地局の送信構成、スタンドアロンアクセスポイント、あるいは、たとえば使用される第２の無線アクセス技術および用語に応じて第２の無線ネットワークノード１３によってサーブされるエリア内で無線デバイスと通信することが可能な任意の他のネットワークユニットまたはノードであり得る。第２の無線ネットワークノード１３はネイバーネットワークノードと呼ばれることがあり、第２のサービスエリア１４は、ネイバリングビームまたはターゲットビームをもつネイバリングビームグループと呼ばれることがある。
【００４９】
サービスエリアが、無線カバレッジのエリアを規定するために、セル、ビーム、モビリティ測定ビーム、ビームグループまたは同様のものとして示され得ることに留意されたい。無線ネットワークノードは、それぞれのサービスエリア上で追加のＲＳを送信する。したがって、第１および第２の無線ネットワークノードは、それぞれの無線ネットワークノードの動作エリアをカバーするのに必要と見なされるのと同数のＴｘビームを使用して、多数の異なる方向において、時間的に、繰り返し、ＣＳＩ−ＲＳまたはビーム参照信号（ＢＲＳ）を送信し得る。したがって、第１の無線ネットワークノード１２は、無線通信ネットワーク１において第１のサービスエリア１１のための第１の参照信号、たとえば第１のＣＳＩ−ＲＳを使用して第１のサービスエリア上の無線カバレッジを提供する。第２の無線ネットワークノード１３は、無線通信ネットワークにおいて第２のサービスエリア１４のための第２の参照信号、たとえば第２のＣＳＩ−ＲＳを使用して第２のサービスエリア１４上の無線カバレッジを提供する。これらの参照信号、すなわち第１および第２のＣＳＩ−ＲＳは、無線ネットワークノード、たとえばネイバリング無線ネットワークノードからの要求時に始動されるか、または、連続的に送られるように設定され得る。
【００５０】
本明細書の実施形態によれば、無線デバイスは、ターゲットサービスエリアが、ナロービームの周期的スイーピングにおけるＳＳバーストの送信によってオーバーヘッドを増加させる必要なしに、たとえばＰＤＳＣＨの高データレート送信のためのナロービームのビーム改良／選択を直ちに有することを可能にするために、ハンドオーバ実行または２次セル確立中に、第２のサービスエリア１４など、ターゲットサービスエリアからの、追加のＲＳ、たとえばＣＳＩ−ＲＳとも呼ばれる１つまたは複数のＲＳの使用。
【００５１】
一般的なシナリオでは、「無線ネットワークノード」という用語が「送信および受信ポイント」と置換され得ることに留意されたい。送信受信ポイント（ＴＲＰ）間の区別は、一般に、送信されたＣＳＩ−ＲＳまたは異なる同期信号およびＢＲＳに基づいて可能にされる。いくつかのＴＲＰは同じ無線ネットワークノードに論理的に接続され得るが、ＴＲＰが地理的に分離されているか、または異なる伝搬方向を向いている場合、ＴＲＰは、異なる無線ネットワークノードと同じ問題を受ける。後続のセクションでは、「無線ネットワークノード」および「ＴＲＰ」という用語は交換可能と考えられ得る。
【００５２】
図３は、第２の無線ネットワークノード１３のどのビーム関係情報が無線デバイス１０に通知されるかと、これが無線デバイス１０によってどのように使用され得るかとが規定される、本明細書のいくつかの実施形態を示す概略的な組み合わせられたフローチャートおよびシグナリング方式である。本明細書の実施形態は、無線インターフェースを介して通信する無線ネットワークノードと無線デバイスとの間の方法を提供することによって上述の問題に対処する。
【００５３】
アクション３０１。第１の無線ネットワークノード１２は、たとえば第２の無線ネットワークノード１３のターゲットサービスエリアのための１つまたは複数のランダムアクセスチャネル（ＲＡＣＨ）設定への１つまたは複数の参照信号のマッピングを取得し、たとえば設定され得るか、または受信し得る。マッピングは、ＲＡＣＨ設定と、ＢＲＳまたはＣＳＩ−ＲＳなどのターゲット追加ＲＳとの間のものであり得る。ＣＳＩ−ＲＳは、本明細書の例示された例において使用される。
【００５４】
アクション３０２。第１の無線ネットワークノード１２は、１つまたは複数のＲＡＣＨ設定へのＣＳＩ−ＲＳのマッピング、またはマッピングの指示を送信する。たとえば、第１の無線ネットワークノード１２は、ＲＡＣＨ設定と、ワイドビーム中で送信される静的な信号とは異なる、高利得ビームフォーミングを用いて送信され得るＣＳＩ−ＲＳとの間のマッピングを、ＲＲＣ＿ＣＯＮＮＥＣＴＥＤ無線デバイスに提供する。静的な信号は、ＰＢＣＨのためのＮＲ−ＰＳＳ／ＮＲ−ＳＳＳ／ＴＳＳ／ＤＭＲＳなど、ＳＳブロック中で送信される信号であり、追加のＲＳはＣＳＩ−ＲＳである。ネットワーク側では、’ＣＳＩ−ＲＳはナロービームに関連するが、ＳＳブロックはワイドビーム中でビームフォーミングされ、これらの異なる設定のための使用事例が後で説明される。
【００５５】
マッピングは、第１の無線ネットワークノード１２が第１のサービスエリアから第２のサービスエリアに無線デバイス１０をハンドオーバすることを決めたとき、および／あるいは、第１の無線ネットワークノード１２が、デュアルコネクティビティ、キャリアアグリゲーションまたは等価物を確立することを希望するとき、無線デバイス１０に提供され得る。それは、無線デバイス１０がＬＴＥに接続され、第２のサービスエリアが、たとえば、ＲＡＴ間ＮＲ−ＬＴＥデュアルコネクティビティ／緊密なインターワーキングのためのＮＲセル候補または潜在的２次セルであるとき、当てはまり得る。したがって、マッピングまたはマッピングの指示は、同じＲＡＴにおいてまたは異なるＲＡＴにおいて、ターゲット（またはＳＣｅｌｌである候補）に関連するＲＲＣＣｏｎｎｅｃｔｉｏｎＲｅｃｏｎｆｉｇｕｒａｔｉｏｎなどのＲＲＣメッセージ中で無線デバイス１０に提供され得る。指示は、テーブルへのインデックス、またはそのようなものとしてのマッピングの値、あるいは同様のものであり得る。
【００５６】
本方法は、無線デバイス１０が、ハンドオーバでのように（ハンドオーバの場合のように）、または１次セルに加えて、（デュアルコネクティビティおよび／またはキャリアアグリゲーションのための）２次セルの確立の場合のようにのいずれかで、別のセルにアクセスするように無線デバイス１０をトリガするコマンドを受信することを含み得る。ハンドオーバの場合、たとえば、コマンドは、ターゲットセルのＫ個の候補ＲＡＣＨ設定のセットを含んでいるｍｏｂｉｌｉｔｙＣｏｎｔｒｏｌＩｎｆｏ  ＩＥ）をもつＲＲＣＣｏｎｎｅｃｔｉｏｎＲｅｃｏｎｆｉｇｕｒａｔｉｏｎメッセージであり、ここで、１≦Ｋ≦Ｎであり、ここで、Ｎは、ターゲットセル／サービスエリアによって利用可能にされるＤＬナロービームまたはＣＳＩ−ＲＳの数である。
【００５７】
これらのＫ個のＲＡＣＨ設定の各々は、少なくとも無線デバイスがターゲット／２次セル／サービスエリアにアクセスすることを試みている時間（すなわち、ハンドオーバ実行または２次セル確立）中に、ターゲットセル／サービスエリアによって利用可能にされるＮ個のＣＳＩ−ＲＳのうちの１つまたはそのサブセットに関連する。単一ＣＳＩ−ＲＳのための多くとも１つのＲＡＣＨ設定があるべきである。しかし、複数のＣＳＩ−ＲＳが同じＲＡＣＨ設定を共有し得る。
【００５８】
追加のＲＳは、主としてセル内ビーム管理のために使用されるＣＳＩ−ＲＳであるが、同時にセル間モビリティおよび／または２次セル確立およびビーム選択のためにも使用され得る。したがって、ＣＳＩ−ＲＳについて述べるとき、ＣＳＩ−ＲＳは一実施形態として理解されるべきであり、ＣＳＩ−ＲＳは、ＳＳブロック中で送信されない、ビーム管理のために使用される任意の他のＲＳであり得る。ＣＳＩ−ＲＳの特定の場合、ビームフォーミングされたＣＳＩ−ＲＳに関連するパラメータ、たとえば、その帯域幅、サブフレームおよびサブフレーム内の直交周波数分割多重（ＯＦＤＭ）シンボルなど、それらが送信されている時間領域リソース、サブフレームオフセットのベースとなる時間領域同期参照、（全帯域幅ＣＳＩ−ＲＳはないので）周波数領域リソース、ブラインド検出が予想されない場合、仮想セルＩＤ、または無線デバイス１０がＣＳＩ−ＲＳシーケンスを導出することを可能にする任意の他の識別子へのシーケンスおよび関連付けなどのパラメータがあり得る。
【００５９】
このコンテキストにおけるＲＡＣＨ設定は、たとえば、指定されたセルまたはあるプリアンブルあるいは同様のものへのランダムアクセス中に使用されるべきＲＡＣＨプリアンブルについての時間周波数リソースの情報を指す。したがって、ナロービーム選択を実施するために使用されるこれらの共通ＲＡＣＨパラメータに加えて、より多くの共通ＲＡＣＨパラメータがあり得る。
【００６０】
２次／ターゲットセル／サービスエリアにアクセスするように無線デバイス１０をトリガするＲＲＣメッセージは、（ＣＳＩ−ＲＳであり得る）Ｎ個の追加のＲＳの設定を含んでいることがある。そのコンテキストでは、Ｎは１よりも大きいかまたは１に等しくなり得る。これらの追加のＲＳは異なるＤＬビーム中で送信されるかまたは異なるＤＬビームに関連することに注意されたい。ターゲットの／２次セルの追加のＲＳに関するその設定は、どのサブフレーム中でＲＳが送信されるか、どのくらいの時間の間か、（ＲＳが周期的である場合）どの周期性か、（たとえばサブフレームの数に関して）ＲＳがどのくらいの時間の間持続するかなどを無線デバイス１０に通知し得る。
【００６１】
代替的に、ＲＡＣＨマッピングおよび／または指示フラグのみがメッセージ中で提供される場合、無線デバイス１０は、ターゲット／２次セルに関連する（１つまたは複数の）追加のＲＳのための前に受信された設定を仮定し得る。メッセージが、（追加のＤＬビーム中に送信を追加することを暗示する）ＲＳを追加すること、（１つまたは複数の）ＲＳを削除することなど、ＲＳ設定を変更／更新するデルタ設定を含んでいることも可能である。
【００６２】
無線デバイス１０にマッピングを通知するＲＲＣメッセージなどのメッセージは、サービング／１次セルと比較したターゲットセル／２次セルの同期仮定に関する指示をも含んでいることがある。ＲＡＣＨ設定と追加のＲＳとの間のマッピングを受信すると、無線デバイス１０は、次いで、測定より前の検出が追加の同期を必要とし得るか否かを知り得る。測定より前の検出が追加の同期を必要とする場合、メッセージは、追加のＲＳの検出が追加の同期ステップを必要とし得ることを無線デバイス１０に通知するための暗黙的なやり方として、物理セル識別子（ＰＣＩ）をも含んでいることがある。
【００６３】
アクション３０３。第２の無線ネットワークノード１３は、ナロービームの参照信号、たとえばＣＳＩ−ＲＳまたはＢＲＳを送信する。
【００６４】
アクション３０４。無線デバイス１０は、たとえば受信されたＣＳＩ−ＲＳに関する測定に基づいて、ナロービーム、すなわち選択される参照信号を選択する。無線デバイス１０は、したがって、ハンドオーバ実行またはデュアルコネクティビティセットアップ中にビーム選択を実施し得る。たとえば、ターゲット／２次セルへのアクセスをトリガするＲＲＣメッセージ（たとえばＲＲＣＣｏｎｎｅｃｔｉｏｎＲｅｃｏｎｆｉｇｕｒａｔｉｏｎ）をサービングセルから受信した後に、無線デバイス１０は、ターゲットサービスエリアに関連するＣＳＩ−ＲＳを探索し、測定を実施し、たとえば、最良の参照信号受信電力（ＲＳＲＰ）、信号対干渉プラス雑音比（ＳＩＮＲ）、信号対雑音比（ＳＮＲ）、あるいは信号強度または信号品質の何らかの他の測度に基づいて、最良の品質または強度に関連するＣＳＩ−ＲＳを選択する。言い換えれば、無線デバイス１０は、ＣＳＩ−ＲＳを送信しているかまたはＣＳＩ−ＲＳに関連している最も強いＤＬナロービームを間接的に選択し得る。したがって、無線デバイス１０は、たとえば第１の無線ネットワークノードと第２の無線ネットワークノードの両方からの、ＣＳＩ−ＲＳの信号強度または品質（Ｑ）を受信し、測定する。たとえば、無線デバイス１０は、ＣＳＩ−ＲＳのうち、最も高いＱを有するＣＳＩ−ＲＳがどれかを決定し得る。
【００６５】
したがって、２次および／またはターゲットセルあるいはサービスエリアにアクセスするためのＲＲＣメッセージを受信すると、無線デバイス１０は、以下のサブアクションを行い得る。
−  サブアクション３．１）ターゲットセルに関連するＣＳＩ−ＲＳを探索する。
−  サブアクション３．２）検出されたＣＳＩ−ＲＳに基づいて測定を実施する。
−  サブアクション３．３）最良の品質に関連するＣＳＩ−ＲＳを選択する。
【００６６】
サブアクション３．１）において、アクション３０２におけるＲＲＣメッセージが、ターゲットセルまたは２次セルがサービングまたは１次セルと同期されるという指示を含んでいた場合、無線デバイス１０は、その１次セル同期ソースを（そのサブフレームタイミングを含む）参照として使用し、（いわゆる同期フェーズ中であるハンドオーバの場合）ＲＲＣメッセージを受信した後にＣＳＩ−ＲＳを探索し得る。その探索は、ＣＳＩ−ＲＳの設定に基づいて、すなわち、接続モードで使用されるサービングセル同期ソースに関連する特定のサブフレームシフトにおいて行われ得る。メッセージがその指示を含んでいなかった場合、無線デバイス１０は、ＣＳＩ−ＲＳの検出より前にターゲットおよび／または２次セルと同期するためにターゲットおよび／または２次物理セル識別子を使用するか、あるいは、（時間が経過していない場合）その同じセルとの前に獲得された同期を使用し得る。上述のように、ターゲットセル中のＣＳＩ−ＲＳを実際に検出する前に、無線デバイス１０は、ターゲットセルのＤＬ送信との粗い同期を有し得る。したがって、無線デバイス１０は、最初に、ＳＳブロックの一部である、ターゲットセルの同期信号、すなわちＮＲ−ＰＳＳ／ＮＲ−ＳＳＳを受信しなければならない（無線デバイス１０がＮＲ−ＰＳＳ／ＮＲ−ＳＳＳを受信することは十分であり得るが、ＳＳブロックの残りの部分の受信をスキップし得ることに留意されたい）。無線デバイス１０は、ＮＲ−ＰＳＳ／ＮＲ−ＳＳＳを受信し、したがって、ターゲットセル中でＤＬ同期を獲得し得、サービングセル中でのＨＯコマンドの受信時に１つの統合プロシージャにおいて（１つまたは複数の）ＣＳＩ−ＲＳ送信を検出し得る。代替的に、無線デバイス１０は、たとえば潜在的ハンドオーバ考慮事項のためのネイバーセル測定の目的で、ターゲットセルのＮＲ−ＰＳＳ／ＮＲ−ＳＳＳを前に受信していることがあり、また、無線デバイスの、ターゲットセルのＮＲ−ＰＳＳ／ＮＲ−ＳＳＳの最近の受信からそれほど長い時間が経過していない場合（ここで、許容できる時間は、たとえば、無線デバイス１０の仮定されたまたは測定された移動、および／あるいは、ターゲットセルのタイミングに関する無線デバイスの内部クロックの仮定されたドリフトに依存し得る）、無線デバイス１０は、ターゲットセルとの、無線デバイス１０の前に獲得されたＤＬ同期を依然として有効であると考え得、ＨＯコマンドを受信した後に（ＮＲ−ＰＳＳ／ＮＲ−ＳＳＳの追加の受信なしに）（１つまたは複数の）ＣＳＩ−ＲＳ送信の検出を直接行い得る。
【００６７】
サブアクション３．２）において、ＣＳＩ−ＲＳリソースを発見した後に、無線デバイス１０は、前に取得された設定に従ってまたは規格における何らかのあらかじめ規定されたルールに基づいて測定を実施し得る。これらの測定は、ＣＱＩ報告のためのビーム管理プロシージャの場合のように、時間領域におけるいわゆるワンショット測定であり得るか、または、その測定は、フィルタ処理された測定であり得る。フィルタ処理は、単に、ＣＳＩ−ＲＳのための設定された帯域幅における周波数領域フィルタ処理であり得るが、フィルタ処理はまた、無線デバイス１０が選択を行う前に少なくとも一定数の連続するサブフレームを測定し得ることを指示する時間領域パラメータを含み得る。この設定は、無線デバイスビームフォーミング、すなわち、無線デバイス１０がその最適ビームを選択することを可能にする一定数の繰返しを考慮に入れ得ることに注意されたい。
【００６８】
サブアクション３．３）において、無線デバイス１０は、最良のＤＬナロービームの選択と等価である最良のＣＳＩ−ＲＳを選択し得る。それは、最良のＲＳＲＰ、ＳＩＮＲ、ＳＮＲ、チャネル状態情報（ＣＳＩ）、あるいは信号強度または信号品質の何らかの他の測度に基づき得る。
【００６９】
アクション３０５。無線デバイス１０は、次いで、ランダムアクセスプロシージャを実施するか、または、選択されたＣＳＩ−ＲＳにマッピングされたＲＡＣＨ設定を使用してランダムアクセスプロシージャを始動する。したがって、無線デバイス１０は、ＲＡＣＨ対ＣＳＩ−ＲＳマッピングに基づいてランダムアクセスを実施する。たとえば、（ＣＳＩ−ＲＳの測定に基づく）最も強いＤＬビームの選択の後に、無線デバイス１０は、設定されたＲＡＣＨに関連するランダムアクセスプロシージャを始動し、たとえば、選択されたＣＳＩ−ＲＳのために、時間周波数リソースにおいてＲＡＣＨプリアンブルを使用し得る。したがって、提供されたマッピングは、ターゲットおよび／または２次セルのアクセス中に、すなわち、２次セルのハンドオーバ実行または確立／追加中に使用されるべきである。たとえば、ナローＤＬビーム選択と等価であるＣＳＩ−ＲＳ選択の後に、無線デバイス１０は、ターゲットのＲＡＣＨのための（たとえばＨＯコマンド中で）前に受信されたＫ個の候補設定をルックアップし、選択されたＣＳＩ−ＲＳに関連するまたは選択されたＣＳＩ−ＲＳにマッピングされたＲＡＣＨ設定を選択し得る。ルックアップの後に、無線デバイス１０は、選択されたＲＡＣＨ設定（すなわち、プリアンブル、およびプリアンブルが送信されるべきである時間周波数リソース（および／または、場合によっては（１つまたは複数の）コードリソース））を使用してターゲット／２次セルとのランダムアクセスプロシージャを始動し得、ここで、ターゲットセルへのアクセスの始動は、無線デバイス１０が、設定されたランダムアクセスプリアンブルを送信することからなり、これは、ターゲットセル中のランダムアクセスプロシージャの初期アクションである。
【００７０】
アクション３０６。所与のＤＬビームにマッピングする時間周波数リソースにおけるＲＡＣＨプリアンブルの受信時に、第２の無線ネットワークノード１３は、何が、無線デバイス１０をカバーする最も強いＤＬナロービームであるかを検出する。第２の無線ネットワークノード１３は、次いで、ランダムアクセス応答（ＲＡＲ）で無線デバイス１０に応答し得る。選択されたＣＳＩ−ＲＳに関連するランダムアクセスプリアンブルを送った後に、無線デバイス１０は、ハンドオーバコマンド、またはｍｏｂｉｌｉｔｙＣｏｎｔｒｏｌＩｎｆｏ  ＩＥをもつＲＲＣＣｏｎｎｅｃｔｉｏｎＲｅｃｏｎｆｉｇｕｒａｔｉｏｎ中で指示されるＲＡＣＨ設定の一部と考えられ得る、時間ウィンドウ内でターゲットセルからＲＡＲを受信することを予想し得る。ＲＡＲのための時間ウィンドウはまた、規格化され、すべての場合のための単一時間ウィンドウ、または、無線インターフェースのために使用されるヌメロロジー、キャリア周波数、セルのタイプ、ＲＡＣＨ設定の他の部分などの条件に応じて変動する時間ウィンドウのいずれかであり得る。ハンドオーバコマンド中に含まれる設定によってオーバーライドされ得る、ＲＡＲ時間ウィンドウのための規格化された（単一または可変）デフォルト設定もあり得る。ＲＡＲに関連する物理チャネルの設定はまた、ＨＯコマンド中で送信されたＣＳＩ−ＲＳごとのＲＡＣＨ設定の一部であり、複数のＴＲＰをもつセルが、ターゲットセルのどのＴＲＰに無線デバイス１０が接続するべきであるかに応じて異なる設定を用いてＲＡＲを送信することを可能にし得る。第２の無線ネットワークノード１３は、ナロービームを介してＲＡＲを送信し、ビーム管理プロシージャをセットアップする前でさえ、ＰＤＳＣＨ上でのデータ送信のために、ナロー利得ビームフォーミングとともに選択されたＤＬビームを使用し始め、ハンドオーバ完了メッセージおよび／または２次セルのセットアップの後、直ちに開始し得る。別の代替案は、ＲＡＲを送るためにワイドビームを使用し、ユーザプレーン（ＵＰ）データ送信を始動するためにナロービームの知識のみを使用することである。
【００７１】
アクション３０７。第２の無線ネットワークノード１３は、次いで、無線デバイス１０によって実施されたランダムアクセスプロシージャのＲＡＣＨ設定に関連するナロービームを使用して、無線デバイス１０とのユーザプレーン（ＵＰ）通信（ＤＬまたはＵＬ）を実施する。
【００７２】
第２の無線ネットワークノード１３は、ＲＡＲおよび／またはＵＰデータのためのＤＬビーム選択を実施し得る。所与のＤＬビームにマッピングする時間／周波数リソースにおけるＲＡＣＨプリアンブルの受信時に、第２の無線ネットワークノード１３は、何が、無線デバイス１０をカバーする最も強いＤＬナロービームであるかを検出する。
【００７３】
第２の無線ネットワークノード１３は、ナロービームを介してアクション３０６においてＲＡＲを送信し、ビーム管理プロシージャをセットアップする前でさえ、ＰＤＳＣＨ上でのデータ送信のために、ナロー利得ビームフォーミングとともに選択ＤＬビームを使用し始め、ハンドオーバ完了メッセージおよび／または２次セルのセットアップの後、直ちに開始し得ることに留意されたい。
【００７４】
本明細書の実施形態の利点は、無線デバイス１０がシームレスモビリティおよび有効キャリアアグリゲーションおよび／またはデュアルコネクティビティのためにターゲットセルおよび／または２次セル中でナロー（高利得）ＤＬビームに極めて迅速にアクセスすることを可能にすることである。
【００７５】
本明細書の実施形態はまた、無線デバイスが、高いデータレートを必要とするサービスをサービングセル中で使用しており、したがって無線デバイスがターゲットセル中でのナロービームへの迅速なアクセスを必要とするときに（高いデータレートを維持することを含む）シームレスモビリティをサポートするために、ＣＳＩ−ＲＳを連続的に送信するのではなく、代わりに、ハンドオーバ実行時など、ＣＳＩ−ＲＳが必要とされるときのみＣＳＩ−ＲＳをアクティブにすることによって、ナロービームを送信するときのオーバーヘッドの低減を可能にする。
【００７６】
本明細書の実施形態は、ターゲットサービスエリアが、ナロービームの周期的スイーピングにおけるＳＳバーストの送信によってオーバーヘッドを増加させる必要なしに、たとえばＰＤＳＣＨの高データレート送信のためのナロービームのビーム改良／選択を直ちに有することを可能にするために、ハンドオーバ実行または２次セル確立中の、ターゲットサービスエリアからの、追加のＲＳ、たとえばＣＳＩ−ＲＳの使用を開示する。
【００７７】
追加の態様は、無線デバイス１０が、少なくとも、あるタイプの１つの信号からターゲットセル中の粗いＤＬ同期を獲得しながら、別のタイプの他の信号に基づいてＤＬビーム選択を実施し得、これらの２つのタイプの信号は、たとえば異なるプリコーディングパラメータ、たとえば異なるビームフォーミングおよびビーム利得に関して異なる設定を有し得る。
【００７８】
別の態様は、無線デバイス１０が、無線デバイス１０がハンドオーバ／２次セル追加プロシージャの統合部分としてターゲット／２次セル中のＤＬ同期を獲得するために使用するのとは別のタイプの信号に基づいてＤＬビーム選択を実施し得る。これは、単一プロシージャとして、ＤＬ同期獲得と統合されて行われるか、または、無線デバイス１０が、先行するステップとしてターゲットセル中のＤＬ同期を獲得しながら、ハンドオーバコマンドを受信した後に、すなわち実際のハンドオーバ実行の一部として、ビーム選択ステップのみを実施するように分離され得る。図４を参照されたい。
【００７９】
図５は、（ターゲット）第２の無線ネットワークノード１３が単一ワイドビーム中でＳＳバーストを送信し、したがって、ＣＳＩ−ＲＳなどの追加のＲＳが、ＲＡＣＨ受信を改善し、および／あるいは、ターゲットセルがハンドオーバ実行または２次セル確立の一部としてＤＬビーム選択を実施することを可能にするための手段を提供する場合を示す。
【００８０】
図６は、ターゲット／２次セル、すなわち第２の無線ネットワークノード１３が複数のワイドビーム中でＳＳバーストを送信し、したがって、（異なるＤＬナロービーム中で送信された、ターゲットからのＣＳＩ−ＲＳなどの）追加のＲＳが、ＲＡＣＨ受信をなお一層改善し、および／あるいは、ターゲットセルがハンドオーバ実行または２次セル確立の一部としてＤＬビーム選択を実施することを可能にするための手段を提供する場合を示す。
【００８１】
図７は、時間領域中で多重化されたＳＳブロックを送信する複数のＴＲＰによってターゲットセルが規定される場合、あいまいさを回避するために実施形態が適用される場合を示す。追加のＲＳは、ターゲットセル／サービスエリア中の厳密なＴＲＰ（無線ネットワークノード）を指示するためにハンドオーバ実行または２次セル確立／追加において使用される。特定のＴＲＰによって異なるＤＬビーム中で送信された、ターゲットからのＣＳＩ−ＲＳ。
【００８２】
いくつかの実施形態では、ＣＳＩ−ＲＳであり得るターゲットの追加のＲＳ、およびＣＳＩ−ＲＳ選択の後のＲＡＣＨリソースマッピングに関する情報が、ｍｏｂｉｌｉｔｙＣｏｎｔｒｏｌＩｎｆｏ  ＩＥの一部であるｒａｃｈ−ＣｏｎｆｉｇＤｅｄｉｃａｔｅｄ  ＩＥ中で符号化され得る。
2020511879.tif 000006
ＭｏｂｉｌｉｔｙＣｏｎｔｒｏｌＩｎｆｏ情報エレメント
【００８３】
ＩＥ  ＭｏｂｉｌｉｔｙＣｏｎｔｒｏｌＩｎｆｏ情報エレメント（ＩＥ）は、ネットワーク制御モビリティについて関連のあるパラメータを含み得る。
【００８４】
ｒａｃｈ−ＣｏｎｆｉｇＤｅｄｉｃａｔｅｄ：専用ランダムアクセスパラメータ。
2020511879.tif 000007
ＲＡＣＨ−ＣｏｎｆｉｇＤｅｄｉｃａｔｅｄ情報エレメント
ＲＡＣＨパラメータのリストを符号化し得、ここで、各値は、ビームフォーミングされ得る、前に設定されたＣＳＩ−ＲＳに関連することに留意されたい。ｒａ−ＣｓｉＲＳマッピングパラメータは０〜Ｎのインデックスであり得、ここで、インデックスは、同じＲＲＣメッセージ中または前に受信されたメッセージ中のいずれかの、無線デバイスによる獲得されるＲＡＣＨ設定に関連することに留意されたい。
【００８５】
無い場合、無線デバイス１０は、指定されたように競合ベースランダムアクセスを適用する。ＲＡＣＨ−ＣｏｎｆｉｇＤｅｄｉｃａｔｅｄ  ＩＥは、あるＣＳＩ−ＲＳのための専用ランダムアクセスパラメータを指定するために使用される。
【００８６】
次に、いくつかの実施形態による、無線通信ネットワークにおける無線デバイスの通信を扱う無線デバイス１０によって実施されるアクションが、図８Ａに示されているフローチャートを参照しながら説明される。アクションは、以下で述べられる順序でとられる必要がなく、任意の好適な順序でとられ得る。実施形態のサブセットにおいて実施される追加の随意のアクションは、点線ボックスでマークされる。無線通信ネットワーク１は、第１の無線ネットワークノード１２と第２の無線ネットワークノード１３とを備え、第１の無線ネットワークノード１２は無線デバイス１０をサーブする。
【００８７】
アクション８０１。無線デバイス１０は、同期信号ブロックの一部として第２の無線ネットワークノード１３によって送信された１次同期信号および２次同期信号を受信することによってダウンリンク同期を獲得し得る。
【００８８】
アクション８０２。無線デバイス１０は、１つまたは複数のＣＳＩ−ＲＳと１つまたは複数のＲＡＣＨ設定との間のマッピングを指示する指示を受信する。マッピングは、複数のＣＳＩ−ＲＳと複数のＲＡＣＨ設定との間のものであり得る。いくつかの実施形態では、多くとも１つのＲＡＣＨ設定がＣＳＩ−ＲＳにマッピングされ得る。指示は、ＲＲＣメッセージ中で受信され得る。ＲＡＣＨ設定は、ＲＡＣＨプリアンブルおよび／または特定のプリアンブル（またはランダムアクセスプリアンブルのセット）の送信のために使用されるべき時間周波数リソースを備え得る。ＲＡＣＨ設定は、ＲＡＲの受信のための時間ウィンドウ、および／またはＲＡＲに関連する物理チャネルの設定をも備え得る。
【００８９】
アクション８０３。無線デバイス１０は、第２の無線ネットワークノード１３から１つまたは複数のＣＳＩ−ＲＳをさらに受信する。
【００９０】
アクション８０４。無線デバイス１０は、１つまたは複数の受信されたＣＳＩ−ＲＳのうちのＣＳＩ−ＲＳを選択する。無線デバイス１０は、受信されたＣＳＩ−ＲＳに関する測定に基づいて１つまたは複数の受信されたＣＳＩ−ＲＳのうちのＣＳＩ−ＲＳを選択し得、たとえば、最良の品質または強度に関連するＣＳＩ−ＲＳが選択され得る。
【００９１】
アクション８０５。無線デバイス１０は、選択されたＣＳＩ−ＲＳにマッピングされた、プリアンブルなど、ＲＡＣＨ設定の少なくとも一部を使用して第２の無線ネットワークノード１３に対するランダムアクセスプロシージャを始動する。
【００９２】
次に、いくつかの実施形態による、無線通信ネットワーク１における無線デバイス１０の通信を扱うための第２の無線ネットワークノード１３によって実施されるアクションが、図８Ｂに示されているフローチャートを参照しながら説明される。アクションは、以下で述べられる順序でとられる必要がなく、任意の好適な順序でとられ得る。実施形態のサブセットにおいて実施される追加の随意のアクションは、点線ボックスでマークされる。無線通信ネットワーク１は、第２の無線ネットワークノード１３と第１の無線ネットワークノード１２とを備え、第１の無線ネットワークノード１２は無線デバイス１０をサーブし、第２の無線ネットワークノードに、１つまたは複数のＣＳＩ−ＲＳと１つまたは複数のＲＡＣＨ設定との間のマッピングが設定される。マッピングは、複数のＣＳＩ−ＲＳと複数のＲＡＣＨ設定との間のものであり得る。いくつかの実施形態では、多くとも１つのＲＡＣＨ設定がＣＳＩ−ＲＳにマッピングされ得る。ＲＡＣＨ設定は、ＲＡＣＨプリアンブルおよび／または特定のプリアンブルの送信のために使用されるべき時間周波数リソースを備え得る。ＲＡＣＨ設定は、ＲＡＲの受信のための時間ウィンドウ、および／またはＲＡＲに関連する物理チャネルの設定を備え得る。
【００９３】
アクション８１１。第２の無線ネットワークノード１３は、それぞれのビームに関連する１つまたは複数のＣＳＩ−ＲＳを送信する。それぞれのビームに関連する送信された１つまたは複数のＣＳＩ−ＲＳに加えて、第２の無線ネットワークノード１３は、同期信号ブロックの一部として１次同期信号および２次同期信号をさらに送信し得る。１つまたは複数のＣＳＩ−ＲＳは、ハンドオーバ時にアクティブにされ得る。
【００９４】
アクション８１２。第２の無線ネットワークノード１３は、ＲＡＣＨ設定の少なくとも一部を使用して、無線デバイス１０からの始動されるランダムアクセスプロシージャを検出する。ＲＡＣＨ設定は、送信された１つまたは複数のＣＳＩ−ＲＳのうちのＣＳＩ−ＲＳにマッピングされる。
【００９５】
アクション８１３。第２の無線ネットワークノード１３は、無線デバイスへのまたは無線デバイスからのデータ送信を実施するためにＣＳＩ−ＲＳに関連するビームを使用する。これらの送信は、たとえば、ランダムアクセス応答（ＲＡＲ）を含み得る。
【００９６】
次に、いくつかの実施形態による、無線通信ネットワーク１における無線デバイス１０の通信を扱うための第１の無線ネットワークノード１２によって実施されるアクションが、図８Ｃに示されているフローチャートを参照しながら説明される。アクションは、以下で述べられる順序でとられる必要がなく、任意の好適な順序でとられ得る。実施形態のサブセットにおいて実施される追加の随意のアクションは、点線ボックスでマークされる。第１の無線ネットワークノード１２は無線デバイス１０をサーブし、無線通信ネットワーク１は第２の無線ネットワークノード１３をさらに備える。
【００９７】
アクション８２１。第１の無線ネットワークノードは、１つまたは複数のＣＳＩ−ＲＳと１つまたは複数のＲＡＣＨ設定との間のマッピングを取得し得る。
【００９８】
アクション８２２。第１の無線ネットワークノード１２は、第２の無線ネットワークノード１３の１つまたは複数のＣＳＩ−ＲＳと１つまたは複数のＲＡＣＨ設定との間のマッピングを指示する指示を、無線デバイス１０に送信する。マッピングは、複数のＣＳＩ−ＲＳと複数のＲＡＣＨ設定との間のものであり得る。いくつかの実施形態では、多くとも１つのＲＡＣＨ設定がＣＳＩ−ＲＳにマッピングされ得る。
【００９９】
ＲＡＣＨ設定は、ＲＡＣＨプリアンブルおよび／または特定のプリアンブルの送信のために使用されるべき時間周波数リソースを備え得る。ＲＡＣＨ設定は、ＲＡＲの受信のための時間ウィンドウ、および／またはＲＡＲに関連する物理チャネルの設定を備え得る。指示は、ＲＲＣメッセージ中で送信され得る。
【０１００】
図９は、本明細書のいくつかの実施形態を示す概略的なシグナリング方式である。
【０１０１】
アクション９０１。第１の無線ネットワークノード１２は、ＲＡＣＨ設定への１つまたは複数の参照信号（たとえばＣＳＩ−ＲＳ）のマッピングに関係する設定パラメータを設定または送信し、たとえば、第１の無線ネットワークノードは、無線デバイス１０に、専用ＲＡＣＨ設定へのターゲットＣＳＩ−ＲＳマッピングを含んでいるｍｏｂｉｌｉｔｙＣｏｎｔｒｏｌＩｎｆｏをもつＲＲＣＣｏｎｎｅｃｔｉｏｎＲｅｃｏｎｆｉｇｕｒａｔｉｏｎを送信し得る。
【０１０２】
アクション９０２。第２の無線ネットワークノード１３は、次いで、いくつかの（Ｎ個の）、ナロービームの送信、たとえば異なるビームのＣＳＩ−ＲＳ送信を送信または実施し得る。
【０１０３】
アクション９０３。無線デバイス１０は、次いで、少なくとも１つのＣＳＩ−ＲＳ（たとえばビームｎ＊中のＣＳＩ−ＲＳ）を選択し、マッピングに従って専用ＲＡＣＨ設定をルックアップし得る。
【０１０４】
アクション９０４。無線デバイス１０は、次いで、選択されたＣＳＩ−ＲＳのＲＡＣＨ設定に従ってランダムアクセスプリアンブルを送信し得る。
【０１０５】
アクション９０５。第２の無線ネットワークノード１３は、次いで、受信されたＲＡプリアンブルに基づいてビーム送信を始動し得る。たとえば、プリアンブル受信に基づいて、第２の無線ネットワークノード１３は、ＲＡＲを送信するための最良のＤＬナロービーム、たとえばビームｎ＊を知る。
【０１０６】
アクション９０６。第２の無線ネットワークノード１３は、無線デバイス１０にビームｎ＊中でＲＡＲを送信する。
【０１０７】
アクション９０７。無線デバイス１０は、次いで、第２の無線ネットワークノード１３にＲＲＣＣｏｎｎｅｃｔｉｏｎＲｅｃｏｎｆｉｇｕｒａｔｉｏｎ完了を送信し得る。
【０１０８】
アクション９０８。ターゲットｇノードＢ（第２の無線ネットワークノード１３）は、ハンドオーバの直後に、高利得／ナロービームを使用し得る。
【０１０９】
アクション９０９。第２の無線ネットワークノードは、したがって、無線デバイス１０への最適化されたＤＬビームｎ＊中でのＵＰ送信を実施し得る。
【０１１０】
本明細書の実施形態は、第２の無線ネットワークノード１３が、ナロービームの周期的スイーピングにおけるＳＳバーストの送信によってオーバーヘッドを増加させる必要なしに、ＰＤＳＣＨの高データレート送信のためのナロービームのビーム改良／選択を直ちに有することを可能にするために、たとえばハンドオーバ実行または２次セル確立中の、ターゲットサービスエリアからの、追加のＲＳ、たとえばＣＳＩ−ＲＳの使用を開示する。
【０１１１】
追加の態様は、無線デバイス１０が、少なくとも、あるタイプの１つの信号、たとえばＳＳバーストからターゲットセル中の粗いＤＬ同期を獲得しながら、別のタイプの他の信号、たとえばＣＳＩ−ＲＳに基づいてＤＬビーム選択を実施し得、これらの２つのタイプの信号は、たとえば異なるプリコーディングパラメータ、たとえば異なるビームフォーミングおよびビーム利得に関して異なる設定を有し得る。
【０１１２】
別の態様は、無線デバイス１０が、無線デバイス１０がハンドオーバプロシージャ、たとえばハンドオーバ実行の統合部分としてターゲットサービスエリア中のＤＬ同期を獲得するために使用するのとは別のタイプの信号に基づいてＤＬビーム選択を実施し得ること、および、これが、単一プロシージャとして、ＤＬ同期獲得と統合されて行われるか、または、無線デバイス１０が、先行するアクションとしてターゲットセル中のＤＬ同期を獲得しながら、ハンドオーバコマンドを受信した後に、すなわち実際のハンドオーバ実行の一部として、ビーム選択アクションのみを実施するように分離され得ることである。
【０１１３】
図１０は、無線通信ネットワーク１における、通信を扱うための、たとえば通信のための無線ネットワークノードまたはビームを選択するための、本明細書の実施形態による無線デバイス１０を、２つの実施形態において示すブロック図である。
【０１１４】
無線デバイス１０は、無線通信ネットワーク１において第１のサービスエリア１１のための第１のＣＳＩ−ＲＳを使用して第１のサービスエリア１１、たとえばナロービーム上の無線カバレッジを提供する第１の無線ネットワークノード１２によってサーブされるように設定され得る。無線通信ネットワーク１は、第２のＣＳＩ−ＲＳなどの追加のＲＳに関連する１つまたは複数のナロービームをもつカバレッジを提供する第２の無線ネットワークノード１３をさらに備える。
【０１１５】
無線デバイス１０は、本明細書の方法を実施するように設定された処理回路要素１００１、たとえば１つまたは複数のプロセッサを備え得る。
【０１１６】
無線デバイス１０は、受信モジュール１００２、たとえば受信機またはトランシーバを備え得る。無線デバイス１０、処理回路要素１００１、および／または受信モジュール１００２は、第１の無線ネットワークノード１２から、１つまたは複数のＲＳと１つまたは複数のＲＡＣＨ設定との間のマッピングを受信するように設定される。無線デバイス１０、処理回路要素１００１、および／または受信モジュール１００２は、第２の無線ネットワークノード１３から１つまたは複数のＣＳＩ−ＲＳを受信するようにさらに設定される。
【０１１７】
無線デバイス１０は選択モジュール１００３を備え得る。無線デバイス１０、処理回路要素１００１、および／または選択モジュール１００３は、無線デバイス１０において測定された信号強度または品質に基づいて、受信されたＲＳのうちの、第２のＣＳＩ−ＲＳなど、ＣＳＩ−ＲＳを選択するように設定される。したがって、参照信号に関連するビームを選択すること。
【０１１８】
無線デバイス１０は、送信モジュール１００４、たとえば送信機またはトランシーバを備え得る。無線デバイス１０、処理回路要素１００１、および／または送信モジュール１００４は、たとえば選択されたＣＳＩ−ＲＳに関連するＲＡプリアンブルを送信するために、選択されたＣＳＩ−ＲＳに基づいて、すなわち、選択されたＣＳＩ−ＲＳにマッピングされたＲＡＣＨ設定に基づいてランダムアクセスプロセスを始動するように設定される。
【０１１９】
無線デバイス１０はメモリ１００５をさらに備える。メモリは、実行されているときに本明細書で開示される方法を実施するためのＣＳＩ−ＲＳ、ＣＳＩ−ＲＳおよびＲＡＣＨ設定の条件、マッピング、インデックス、強度または品質、アプリケーション、ならびに同様のものなど、データを記憶するために使用されるべき１つまたは複数のユニットを備える。
【０１２０】
無線デバイス１０、処理回路要素１００１、および／または受信モジュール１００２は、１つまたは複数のＣＳＩ−ＲＳと１つまたは複数のＲＡＣＨ設定との間のマッピングを指示する指示を受信するように設定される。マッピングは、複数のＣＳＩ−ＲＳと複数のＲＡＣＨ設定との間のものであり得る。いくつかの実施形態によれば、多くとも１つのＲＡＣＨ設定がＣＳＩ−ＲＳにマッピングされ得る。無線デバイス１０、処理回路要素１００１、および／または受信モジュール１００２は、ＲＲＣメッセージ中で指示を受信するように設定され得る。無線デバイス１０、処理回路要素１００１、および／または受信モジュール１００２は、同期信号ブロックの一部として第２の無線ネットワークノードによって送信された１次同期信号および２次同期信号を受信することによってダウンリンク同期を獲得するようにさらに設定され得る。ＲＡＣＨ設定は、ＲＡＣＨプリアンブルおよび／または特定のプリアンブルの送信のために使用されるべき時間周波数リソース、ならびに／あるいは、ＲＡＲの受信のための時間ウィンドウ、および／またはＲＡＲに関連する物理チャネルの設定を備え得る。
【０１２１】
無線デバイス１０、処理回路要素１００１、および／または選択モジュール１００３は、たとえば受信されたＣＳＩ−ＲＳに関する測定に基づいて、１つまたは複数の受信されたＣＳＩ−ＲＳのうちの、第２のＣＳＩ−ＲＳなど、ＣＳＩ−ＲＳを選択するように設定される。無線デバイス１０、処理回路要素１００１、および／または選択モジュール１００３は、最良の品質または強度に関連するＣＳＩ−ＲＳを選択するように設定され得る。
【０１２２】
無線デバイス１０、処理回路要素１００１、および／または送信モジュール１００４は、選択されたＣＳＩ−ＲＳにマッピングされたＲＡＣＨ設定の少なくとも一部を使用することによって第２の無線ネットワークノード１３に対するランダムアクセスプロシージャを始動するように設定される。
【０１２３】
無線デバイス１０のための本明細書で説明される実施形態による方法は、少なくとも１つのプロセッサ上で実行されたとき、無線デバイス１０によって実施されるように、少なくとも１つのプロセッサに、本明細書で説明されるアクションを行わせる、命令、すなわち、ソフトウェアコード部分を備える、たとえばコンピュータプログラム１００６またはコンピュータプログラム製品の手段によって実装され得る。コンピュータプログラム１００６は、コンピュータ可読記憶媒体１００７、たとえばディスク、ＵＳＢ、メモリ、または同様のものに記憶され得る。コンピュータプログラムを記憶したコンピュータ可読記憶媒体１００７は、少なくとも１つのプロセッサ上で実行されたとき、無線デバイス１０によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。したがって、無線デバイス１０は処理回路要素とメモリとを備え得、前記メモリは前記処理回路要素によって実行可能な命令を備え、それにより、前記無線デバイスは、本明細書の方法を実施するように動作可能である。
【０１２４】
図１１は、無線通信ネットワーク１における無線デバイスの通信を扱うための、本明細書の実施形態による第１の無線ネットワークノード１２を、２つの実施形態において示すブロック図である。
【０１２５】
第１の無線ネットワークノード１２は、本明細書の方法を実施するように設定された処理回路要素１１０１、たとえば１つまたは複数のプロセッサを備え得る。
【０１２６】
第１の無線ネットワークノード１２は、取得モジュール１１０２、たとえば受信機またはトランシーバを備え得る。第１の無線ネットワークノード１２、処理回路要素１１０１、および／または取得モジュール１１０２は、たとえば第２の無線ネットワークノード１３のターゲットサービスエリアのための１つまたは複数のランダムアクセスチャネル（ＲＡＣＨ）設定への１つまたは複数の参照信号（たとえばＣＳＩ−ＲＳ）のマッピングを取得するように設定され、たとえば設定されるかまたは受信し得る。
【０１２７】
第１の無線ネットワークノード１２は、送信モジュール１１０３、たとえば送信機またはトランシーバを備え得る。第１の無線ネットワークノード１２、処理回路要素１１０１、および／または送信モジュール１１０３は、１つまたは複数のＲＡＣＨ設定への参照信号のマッピングを指示する指示を送信するように設定される。指示は、あらかじめ設定されたテーブル中の１つまたは複数のインデックスであるか、または、ＣＳＩ−ＲＳおよびＲＡＣＨ設定、たとえばそのようなものとしてのマッピングの値であり得る。
【０１２８】
第１の無線ネットワークノード１２はメモリ１１０４をさらに備える。メモリは、実行されているときに本明細書で開示される方法を実施するためのＣＳＩ−ＲＳ、マッピング、インデックス、パラメータ、アプリケーション、ならびに同様のものなど、データを記憶するために使用されるべき１つまたは複数のユニットを備える。
【０１２９】
第１の無線ネットワークノード１２、処理回路要素１１０１、および／または取得モジュール１１０２は、１つまたは複数のＣＳＩ−ＲＳと１つまたは複数のＲＡＣＨ設定との間のマッピングを取得するように設定され得る。マッピングは、複数のＣＳＩ−ＲＳと複数のＲＡＣＨ設定との間のものであり得る。いくつかの実施形態では、多くとも１つのＲＡＣＨ設定がＣＳＩ−ＲＳにマッピングされ得る。ＲＡＣＨ設定は、ＲＡＣＨプリアンブルおよび／または特定のプリアンブルの送信のために使用されるべき時間周波数リソース、ならびに／あるいは、ＲＡＲの受信のための時間ウィンドウ、および／またはＲＡＲに関連する物理チャネルの設定を備え得る。
【０１３０】
第１の無線ネットワークノード１２、処理回路要素１１０１、および／または送信モジュール１１０３は、第２の無線ネットワークノード１３の１つまたは複数のＣＳＩ−ＲＳと１つまたは複数のＲＡＣＨ設定との間のマッピングを指示する指示を、無線デバイス１０に送信するように設定される。第１の無線ネットワークノード１２、処理回路要素１１０１、および／または送信モジュール１１０３は、ＲＲＣメッセージ中で指示を送信するように設定され得る。
【０１３１】
第１の無線ネットワークノード１２のための本明細書で説明される実施形態による方法は、少なくとも１つのプロセッサ上で実行されたとき、第１の無線ネットワークノード１２によって実施されるように、少なくとも１つのプロセッサに、本明細書で説明されるアクションを行わせる、命令、すなわち、ソフトウェアコード部分を備える、たとえばコンピュータプログラム１１０５またはコンピュータプログラム製品の手段によって実装され得る。コンピュータプログラム１１０５は、コンピュータ可読記憶媒体１１０６、たとえばディスク、ＵＳＢ、メモリ、または同様のものに記憶され得る。コンピュータプログラムを記憶したコンピュータ可読記憶媒体１１０６は、少なくとも１つのプロセッサ上で実行されたとき、第１の無線ネットワークノード１２によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。したがって、第１の無線ネットワークノード１２は処理回路要素とメモリとを備え得、前記メモリは前記処理回路要素によって実行可能な命令を備え、それにより、前記無線ネットワークノードは、本明細書の方法を実施するように動作可能である。
【０１３２】
図１２は、無線通信ネットワーク１における無線デバイス１０の通信を扱うための、本明細書の実施形態による第２の無線ネットワークノード１３を、２つの実施形態において示すブロック図である。第２の無線ネットワークノード１３は、追加のＲＳ（たとえばＣＳＩ−ＲＳ）を使用してナロービーム上の無線カバレッジを提供するために設定され得、第２の無線ネットワークノード１３に、ＣＳＩ−ＲＳとＲＡＣＨ設定との間のマッピングがさらに設定され得る。無線通信ネットワークは、無線デバイス１０をサーブする第１の無線ネットワークノード１２を備える。
【０１３３】
第２の無線ネットワークノード１３は、本明細書の方法を実施するように設定された処理回路要素１２０１、たとえば１つまたは複数のプロセッサを備え得る。
【０１３４】
第２の無線ネットワークノード１３は、送信モジュール１２０２、たとえば送信機またはトランシーバを備え得る。第２の無線ネットワークノード１３、処理回路要素１２０１、および／または送信モジュール１２０２は、１つまたは複数のＣＳＩ−ＲＳを送信し、１つまたは複数のサービスエリア上の無線カバレッジを提供するように設定される。第２の無線ネットワークノード１３、処理回路要素１２０１、および／または送信モジュール１２０２は、追加のＲＳ（たとえばＣＳＩ−ＲＳ）とＲＡＣＨ設定との間のマッピングを送信するように設定され得る。
【０１３５】
第２の無線ネットワークノード１３は、受信モジュール１２０３、たとえば受信機またはトランシーバを備え得る。第２の無線ネットワークノード１３、処理回路要素１２０１、および／または受信モジュール１２０３は、無線デバイス１０によって始動されるＲＡＣＨ送信を受信するように設定される。たとえば、第２の無線ネットワークノード１３、処理回路要素１２０１、および／または受信モジュール１２０３は、無線デバイス１０から時間および周波数上でＲＡＣＨプリアンブルを受信するように設定され得る。
【０１３６】
第２の無線ネットワークノード１３は、決定モジュール１２０４を備え得る。第２の無線ネットワークノード１３、処理回路要素１２０１、および／または決定モジュール１２０４は、無線デバイス１０からの受信されたＲＡＣＨ送信に基づいてＣＳＩ−ＲＳを決定するように設定される。第２の無線ネットワークノード１３、処理回路要素１２０１、および／または決定モジュール１２０４は、たとえば、第２の無線ネットワークノードが、あるランダムアクセスチャネル設定に関連する無線デバイスからの始動されるランダムアクセスプロシージャを検出するという点で、無線デバイスによって選択される、送信された１つまたは複数のＣＳＩ−ＲＳのうちのＣＳＩ−ＲＳを検出することであって、あるランダムアクセスチャネル設定がそのＣＳＩ−ＲＳに関連する、送信された１つまたは複数のＣＳＩ−ＲＳのうちのＣＳＩ−ＲＳを検出することを行うように設定され得る。第２の無線ネットワークノード１３、処理回路要素１２０１、および／または送信モジュール１２０２は、次いで、決定されたＲＳに関連するビームを使用して無線デバイス１０へのデータ送信を送信するように設定され得る。
【０１３７】
第２の無線ネットワークノード１３はメモリ１２０５をさらに備える。メモリは、実行されているときに本明細書で開示される方法を実施するためのＣＳＩ−ＲＳ、ＣＳＩ−ＲＳおよびＲＡＣＨ設定のマッピング、パラメータ、アプリケーション、ならびに同様のものなど、データを記憶するために使用されるべき１つまたは複数のユニットを備える。
【０１３８】
無線通信ネットワーク１は、第２の無線ネットワークノード１３と第１の無線ネットワークノード１２とを備え、第１の無線ネットワークノード１２は無線デバイス１０をサーブし、第２の無線ネットワークノードは、１つまたは複数のＣＳＩ−ＲＳと１つまたは複数のＲＡＣＨ設定との間のマッピングを有する。
【０１３９】
マッピングは、複数のＣＳＩ−ＲＳと複数のＲＡＣＨ設定との間のものであり得る。いくつかの実施形態では、多くとも１つのＲＡＣＨ設定がＣＳＩ−ＲＳにマッピングされ得る。ＲＡＣＨ設定は、ＲＡＣＨプリアンブルおよび／または特定のプリアンブルの送信のために使用されるべき時間周波数リソース、ならびに／あるいは、ＲＡＲの受信のための時間ウィンドウ、および／またはＲＡＲに関連する物理チャネルの設定を備え得る。
【０１４０】
第２の無線ネットワークノード１３、処理回路要素１２０１、および／または送信モジュール１２０２は、それぞれのビームに関連する１つまたは複数のＣＳＩ−ＲＳを送信すること、たとえば、１つまたは複数のＣＳＩ−ＲＳを送信し、１つまたは複数のサービスエリア上の無線カバレッジを提供することを行うように設定される。第２の無線ネットワークノード１３、処理回路要素１２０１、および／または送信モジュール１２０２は、それぞれのビームに関連する送信された１つまたは複数のＣＳＩ−ＲＳに加えて、同期信号ブロックの一部として１次同期信号および２次同期信号を送信するようにさらに設定され得る。第２の無線ネットワークノードは、ハンドオーバ時に１つまたは複数のＣＳＩ−ＲＳをアクティブにするように設定され得る。
【０１４１】
第２の無線ネットワークノード１３、処理回路要素１２０１、および／または決定モジュール１２０４は、ＲＡＣＨ設定の少なくとも一部を使用して、無線デバイス１０からの始動されるランダムアクセスプロシージャを検出することであって、ＲＡＣＨ設定が、送信された１つまたは複数のＣＳＩ−ＲＳのうちのＣＳＩ−ＲＳにマッピングされる、始動されるランダムアクセスプロシージャを検出することを行うように設定される。
【０１４２】
第２の無線ネットワークノード１３、処理回路要素１２０１、および／または送信モジュール１２０２は、無線デバイスへのまたは無線デバイスからのデータ送信を実施するためにＣＳＩ−ＲＳに関連するビームを使用するように設定される。
【０１４３】
第２の無線ネットワークノード１３のための本明細書で説明される実施形態による方法は、少なくとも１つのプロセッサ上で実行されたとき、第２の無線ネットワークノード１３によって実施されるように、少なくとも１つのプロセッサに、本明細書で説明されるアクションを行わせる、命令、すなわち、ソフトウェアコード部分を備える、たとえばコンピュータプログラム１２０６またはコンピュータプログラム製品の手段によって実装され得る。コンピュータプログラム１２０６は、コンピュータ可読記憶媒体１２０７、たとえばディスク、ＵＳＢ、メモリ、または同様のものに記憶され得る。コンピュータプログラムを記憶したコンピュータ可読記憶媒体１２０７は、少なくとも１つのプロセッサ上で実行されたとき、第２の無線ネットワークノード１３によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。したがって、第２の無線ネットワークノード１３は処理回路要素とメモリとを備え得、前記メモリは前記処理回路要素によって実行可能な命令を備え、それにより、前記無線ネットワークノードは、本明細書の方法を実施するように動作可能である。
【０１４４】
無線通信ネットワークは、仮想的に、いくつかのネットワーク／ＲＡＮスライスにスライスされたネットワークであり得、各ネットワーク／ＲＡＮスライスは１つまたは複数のタイプの無線デバイスおよび／または１つまたは複数のタイプのサービスをサポートし、すなわち、各ネットワークスライスは機能性の異なるセットをサポートすることにさらに留意されたい。ネットワークスライシングは、ネットワーク／ＲＡＮスライスが異なるサービスおよび使用事例のために使用され、これらのサービスおよび使用事例が、異なるネットワークスライスにおいてサポートされる機能性の差をもたらし得る可能性をもたらす。各ネットワーク／ＲＡＮスライスは、それぞれのネットワークスライスのためのサービス／機能性を提供する１つまたは複数のネットワークノードまたはネットワークノードのエレメントを備え得る。各ネットワーク／ＲＡＮスライスは、ＲＡＮノードおよび／またはコアネットワークノードなど、ネットワークノードを備え得る。
【０１４５】
「無線ネットワークノード」という用語は、無線デバイスおよび／または別のネットワークノードと通信する任意のタイプの無線ネットワークノードまたは任意のネットワークノードに対応することができる。ネットワークノードの例は、ノードＢ、ｇノードＢ、マスタｅＮＢ、２次ｅＮＢ、マスタセルグループ（ＭＣＧ）または２次セルグループ（ＳＣＧ）に属するネットワークノード、基地局（ＢＳ）、マルチスタンダード無線（ＭＳＲ）ＢＳなどのＭＳＲ無線ノード、ｅノードＢ、ネットワークコントローラ、無線ネットワークコントローラ（ＲＮＣ）、基地局コントローラ（ＢＳＣ）、リレー、リレーを制御するドナーノード、基地トランシーバ局（ＢＴＳ）、アクセスポイント（ＡＰ）、送信ポイント、送信ノード、リモートラジオユニット（ＲＲＵ）、リモート無線ヘッド（ＲＲＨ）、分散アンテナシステム（ＤＡＳ）におけるノード、コアネットワークノード、たとえばモビリティスイッチングセンター（ＭＳＣ）、モバイル管理エンティティ（ＭＭＥ）などである。
【０１４６】
いくつかの実施形態では、無線デバイスまたはユーザ機器（ＵＥ）という非限定的な用語が使用され、無線デバイスまたはＵＥという用語は、セルラーまたは移動体通信システムにおけるネットワークノードおよび／または別の無線デバイスと通信する任意のタイプの無線デバイスを指す。無線デバイスの例は、ターゲットデバイス、デバイスツーデバイス（Ｄ２Ｄ）ＵＥ、プロキシミティ対応無線デバイス（別名ＰｒｏＳｅ  ＵＥ）、マシン型無線デバイスまたはマシンツーマシン（Ｍ２Ｍ）通信が可能な無線デバイス、ＰＤＡ、ＰＡＤ、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングルなどである。
【０１４７】
実施形態は、５Ｇ、たとえば、第３世代パートナーシッププロジェクト（３ＧＰＰ）によって規格化されている「新しい無線」（ＮＲ）５Ｇシステムについて説明される。しかしながら、実施形態は、無線デバイスが、信号（たとえばデータ）を受信および／または送信する、任意のＲＡＴまたはマルチＲＡＴシステム、たとえばＬＴＥ、ＬＴＥ周波数複信分割／時間複信分割（ＦＤＤ／ＴＤＤ）、ＷＣＤＭＡ／ＨＳＰＡ、ＧＳＭ／ＧＥＲＡＮ、Ｗｉ  Ｆｉ、ＷＬＡＮ、ＣＤＭＡ２０００などに適用可能である。
【０１４８】
通信設計に精通している人々によって容易に理解されるように、その機能手段またはモジュールは、デジタル論理および／または１つまたは複数マイクロコントローラ、マイクロプロセッサ、あるいは他のデジタルハードウェアを使用して実装され得る。いくつかの実施形態では、様々な機能のいくつかまたはすべては、単一の特定用途向け集積回路（ＡＳＩＣ）において、あるいは、それらの間の適切なハードウェアおよび／またはソフトウェアインターフェースをもつ２つまたはそれ以上の別個のデバイスにおいてなど、一緒に実装され得る。機能のうちのいくつかは、たとえば、無線デバイスまたはネットワークノードの他の機能構成要素と共有されるプロセッサ上で実装され得る。
【０１４９】
代替的に、説明される処理手段の機能エレメントのうちのいくつかは、専用ハードウェアを使用することによって提供され得、他の機能エレメントは、適切なソフトウェアまたはファームウェアに関連して、ソフトウェアを実行するためのハードウェアを提供される。したがって、本明細書で使用される「プロセッサ」または「コントローラ」という用語は、ソフトウェアを実行することが可能なハードウェアをもっぱら指すのではなく、限定はしないが、デジタル信号プロセッサ（ＤＳＰ）ハードウェア、ソフトウェアを記憶するための読取り専用メモリ（ＲＯＭ）、ソフトウェアおよび／あるいはプログラムまたはアプリケーションデータを記憶するためのランダムアクセスメモリ、ならびに不揮発性メモリを暗黙的に含み得る。従来のおよび／またはカスタムの他のハードウェアも含まれ得る。通信デバイスの設計者は、これらの設計選択に固有のコスト、性能、および保守のトレードオフを諒解されよう。
【０１５０】
上記の説明および添付の図面は、本明細書で教示された方法および装置の非限定的な例を表すことが諒解されよう。したがって、本明細書で教示された装置および技法は、上記の説明および添付の図面によって限定されない。代わりに、本明細書の実施形態は、以下の特許請求の範囲およびそれらの法的均等物によってのみ限定される。
【図１Ａ】
2020511879.tif 000008
【図１Ｂ】
2020511879.tif 000009
【図１Ｃ】
2020511879.tif 000010
【図１Ｄ】
2020511879.tif 000011
【図２】
2020511879.tif 000012
【図３】
2020511879.tif 000013
【図４】
2020511879.tif 000014
【図５】
2020511879.tif 000015
【図６】
2020511879.tif 000016
【図７】
2020511879.tif 000017
【図８Ａ】
2020511879.tif 000018
【図８Ｂ】
2020511879.tif 000019
【図８Ｃ】
2020511879.tif 000020
【図９】
2020511879.tif 000021
【図１０】
2020511879.tif 000022
【図１１】
2020511879.tif 000023
【図１２】
2020511879.tif 000024
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
無線通信ネットワークにおける無線デバイス（１０）の通信を扱うための前記無線デバイスによって実施される方法であって、前記無線通信ネットワークが、第１の無線ネットワークノード（１２）と第２の無線ネットワークノード（１３）とを備え、前記第１の無線ネットワークノード（１２）が前記無線デバイス（１０）をサーブし、前記方法が、
−  複数のチャネル状態情報参照信号（ＣＳＩ−ＲＳ）と複数のランダムアクセスチャネル（ＲＡＣＨ）設定との間のマッピングを指示する指示を前記第１の無線ネットワークノードから受信すること（８０２）と、
−  前記第２の無線ネットワークノード（１３）から１つまたは複数のＣＳＩ−ＲＳを受信すること（８０３）と、
−  前記１つまたは複数の受信されたＣＳＩ−ＲＳのうちのＣＳＩ−ＲＳを選択すること（８０４）と、
−  前記選択されたＣＳＩ−ＲＳにマッピングされた前記ＲＡＣＨ設定の少なくとも一部を使用して前記第２の無線ネットワークノード（１３）に対するランダムアクセスプロシージャを始動すること（８０５）と
を含む、方法。
【請求項２】
多くとも１つのＲＡＣＨ設定がＣＳＩ−ＲＳにマッピングされる、請求項１に記載の方法。
【請求項３】
−  同期信号ブロックの一部として前記第２の無線ネットワークノードによって送信された１次同期信号および２次同期信号を受信することによってダウンリンク同期を獲得すること（８０１）
をさらに含む、請求項１または２に記載の方法。
【請求項４】
前記１つまたは複数の受信されたＣＳＩ−ＲＳのうちの前記ＣＳＩ−ＲＳを選択すること（８０４）が、前記受信されたＣＳＩ−ＲＳに関する測定に基づく、請求項１から３のいずれか一項に記載の方法。
【請求項５】
最良の品質または強度に関連する前記ＣＳＩ−ＲＳが選択される、請求項４に記載の方法。
【請求項６】
無線通信ネットワークにおける無線デバイス（１０）の通信を扱うための第２の無線ネットワークノード（１３）によって実施される方法であって、前記無線通信ネットワークが、前記第２の無線ネットワークノード（１３）と第１の無線ネットワークノード（１２）とを備え、前記第１の無線ネットワークノードが前記無線デバイス（１０）をサーブし、前記第２の無線ネットワークノードに、１つまたは複数のチャネル状態情報参照信号（ＣＳＩ−ＲＳ）と１つまたは複数のランダムアクセスチャネル（ＲＡＣＨ）設定との間のマッピングが設定され、前記方法は、
−  それぞれのビームに関連する１つまたは複数のＣＳＩ−ＲＳを送信すること（８１１）であって、前記第２の無線ネットワークノードがハンドオーバ時に前記１つまたは複数のＣＳＩ−ＲＳをアクティブにする、１つまたは複数のＣＳＩ−ＲＳを送信すること（８１１）と、
−  ＲＡＣＨ設定の少なくとも一部を使用して、前記無線デバイス（１０）からの始動されるランダムアクセスプロシージャを検出すること（８１２）であって、前記ＲＡＣＨ設定が、送信された前記１つまたは複数のＣＳＩ−ＲＳのうちのＣＳＩ−ＲＳにマッピングされる、始動されるランダムアクセスプロシージャを検出すること（８１２）と、
−  前記無線デバイスへのまたは前記無線デバイスからのデータ送信を実施するために前記ＣＳＩ−ＲＳに関連する前記ビームを使用すること（８１３）と
を含む、方法。
【請求項７】
前記マッピングが複数のＣＳＩ−ＲＳと複数のＲＡＣＨ設定との間のものである、請求項６に記載の方法。
【請求項８】
多くとも１つのＲＡＣＨ設定がＣＳＩ−ＲＳにマッピングされる、請求項６または７に記載の方法。
【請求項９】
それぞれのビームに関連する前記送信された１つまたは複数のＣＳＩ−ＲＳに加えて、前記第２の無線ネットワークノードが、同期信号ブロックの一部として１次同期信号および２次同期信号をさらに送信する、請求項６から８のいずれか一項に記載の方法。
【請求項１０】
無線通信ネットワークにおける無線デバイス（１０）の通信を扱うための第１の無線ネットワークノード（１２）によって実施される方法であって、前記第１の無線ネットワークノード（１２）が前記無線デバイス（１０）をサーブし、前記無線通信ネットワークが第２の無線ネットワークノード（１３）をさらに備え、前記方法が、
−  前記第２の無線ネットワークノード（１３）の複数のチャネル状態情報参照信号（ＣＳＩ−ＲＳ）と複数のランダムアクセスチャネル（ＲＡＣＨ）設定との間のマッピングを指示する指示を、前記無線デバイス（１０）に送信すること（８２２）
を含む、方法。
【請求項１１】
多くとも１つのＲＡＣＨ設定がＣＳＩ−ＲＳにマッピングされる、請求項１０に記載の方法。
【請求項１２】
−  １つまたは複数のＣＳＩ−ＲＳと１つまたは複数のＲＡＣＨ設定との間の前記マッピングを取得すること（８２１）
をさらに含む、請求項１０または１１に記載の方法。
【請求項１３】
無線通信ネットワーク（１）における無線デバイス（１０）の通信を扱うための無線デバイス（１０）であって、前記無線通信ネットワーク（１）が、前記無線デバイス（１０）をサーブするように設定された第１の無線ネットワークノード（１２）と、第２の無線ネットワークノード（１３）とを備え、前記無線デバイス（１０）が、
複数のチャネル状態情報参照信号（ＣＳＩ−ＲＳ）と複数のランダムアクセスチャネル（ＲＡＣＨ）設定との間のマッピングを指示する指示を前記第１の無線ネットワークノードから受信することと、
前記第２の無線ネットワークノード（１３）から１つまたは複数のＣＳＩ−ＲＳを受信することと、
前記１つまたは複数の受信されたＣＳＩ−ＲＳのうちのＣＳＩ−ＲＳを選択することと、
前記選択されたＣＳＩ−ＲＳにマッピングされた前記ＲＡＣＨ設定の少なくとも一部を使用して前記第２の無線ネットワークノード（１３）に対するランダムアクセスプロシージャを始動することと
を行うように設定された、無線デバイス（１０）。
【請求項１４】
多くとも１つのＲＡＣＨ設定がＣＳＩ−ＲＳにマッピングされる、請求項１３に記載の無線デバイス（１０）。
【請求項１５】
前記無線デバイスが、同期信号ブロックの一部として前記第２の無線ネットワークノードによって送信された１次同期信号および２次同期信号を受信することによってダウンリンク同期を獲得するようにさらに設定された、請求項１３または１４に記載の無線デバイス（１０）。
【請求項１６】
前記無線デバイス（１０）が、前記受信されたＣＳＩ−ＲＳに関する測定に基づいて、前記１つまたは複数の受信されたＣＳＩ−ＲＳのうちの前記ＣＳＩ−ＲＳを選択するように設定された、請求項１３から１５のいずれか一項に記載の無線デバイス（１０）。
【請求項１７】
前記無線デバイス（１０）が、最良の品質または強度に関連する前記ＣＳＩ−ＲＳを選択するように設定された、請求項１６に記載の無線デバイス（１０）。
【請求項１８】
無線通信ネットワークにおける無線デバイス（１０）の通信を扱うための第２の無線ネットワークノード（１３）であって、前記無線通信ネットワークが、前記第２の無線ネットワークノード（１３）と第１の無線ネットワークノード（１２）とを備え、前記第１の無線ネットワークノードが前記無線デバイス（１０）をサーブし、前記第２の無線ネットワークノードが、１つまたは複数のチャネル状態情報参照信号（ＣＳＩ−ＲＳ）と１つまたは複数のランダムアクセスチャネル（ＲＡＣＨ）設定との間のマッピングを有し、前記第２の無線ネットワークノードは、
それぞれのビームに関連する１つまたは複数のＣＳＩ−ＲＳを送信することであって、前記第２の無線ネットワークノードがハンドオーバ時に前記１つまたは複数のＣＳＩ−ＲＳをアクティブにするように設定された、１つまたは複数のＣＳＩ−ＲＳを送信することと、
ＲＡＣＨ設定の少なくとも一部を使用して、前記無線デバイス（１０）からの始動されるランダムアクセスプロシージャを検出することであって、前記ＲＡＣＨ設定が、送信された前記１つまたは複数のＣＳＩ−ＲＳのうちのＣＳＩ−ＲＳにマッピングされる、始動されるランダムアクセスプロシージャを検出することと、
前記無線デバイスへのまたは前記無線デバイスからのデータ送信を実施するために前記ＣＳＩ−ＲＳに関連する前記ビームを使用することと
を行うように設定された、第２の無線ネットワークノード（１３）。
【請求項１９】
前記マッピングが複数のＣＳＩ−ＲＳと複数のＲＡＣＨ設定との間のものである、請求項１８に記載の第２の無線ネットワークノード（１３）。
【請求項２０】
多くとも１つのＲＡＣＨ設定がＣＳＩ−ＲＳにマッピングされる、請求項１８または１９に記載の第２の無線ネットワークノード（１３）。
【請求項２１】
それぞれのビームに関連する前記送信された１つまたは複数のＣＳＩ−ＲＳに加えて、前記第２の無線ネットワークノードが、同期信号ブロックの一部として１次同期信号および２次同期信号を送信するようにさらに設定された、請求項１８から２０のいずれか一項に記載の第２の無線ネットワークノード（１３）。
【請求項２２】
無線通信ネットワークにおける無線デバイス（１０）の通信を扱うための第１の無線ネットワークノード（１２）であって、前記無線通信ネットワークが前記第１の無線ネットワークノード（１２）と第２の無線ネットワークノード（１３）とを備え、前記第１の無線ネットワークノード（１２）が前記無線デバイス（１０）をサーブするように動作可能であり、前記第１の無線ネットワークノード（１２）が、
前記第２の無線ネットワークノード（１３）の複数のチャネル状態情報参照信号（ＣＳＩ−ＲＳ）と複数のランダムアクセスチャネル（ＲＡＣＨ）設定との間のマッピングを指示する指示を、前記無線デバイス（１０）に送信する
ように設定された第１の無線ネットワークノード（１２）。
【請求項２３】
多くとも１つのＲＡＣＨ設定がＣＳＩ−ＲＳにマッピングされる、請求項２２に記載の第１の無線ネットワークノード（１２）。
【請求項２４】
前記第１の無線ネットワークノードが、１つまたは複数のＣＳＩ−ＲＳと１つまたは複数のＲＡＣＨ設定との間の前記マッピングを取得するようにさらに設定された、請求項２２または２３に記載の第１の無線ネットワークノード（１２）。
【国際調査報告】
2020511879.tif 000025
2020511879.tif 000026
2020511879.tif 000027
2020511879.tif 000028